(57)【要約】【課題】吐出弁（21）がリード弁で構成されている回転式圧縮機（10）において、圧縮室（41,42）で流体を圧縮する過程で発生する鏡板部（37）の変形を低減させる。【解決手段】弁体（18）の変形量を制限する弁押さえ（16）が、弁体（18）の背面に当接可能な本体部（17）と、凹部（25）の外側へ延びる固定部（19a）とを備えている。弁押さえ（16）を鏡板部（37）に取り付けるにあたっては、その固定部（19a）を鏡板部（37）の凹部（25）の外側に固定する。【選択図】図３
2006322450.tif 000002
【特許請求の範囲】
【請求項１】
偏心運動する可動部材（38）と、該可動部材（38）と共に圧縮室（41,42）を形成する固定部材（39）とを備え、上記可動部材（38）を駆動することにより上記圧縮室（41,42）へ吸入した流体を圧縮する回転式圧縮機であって、
上記固定部材（39）は、前面が上記圧縮室（41,42）に面する鏡板部（37）を備え、
上記鏡板部（37）には、背面側に凹部（25）が形成されると共に、上記圧縮室（41,42）に連通して該凹部（25）の底面に開口する吐出通路（51,52）と、リード弁で構成されて該吐出通路（51,52）を開閉する吐出弁（21）とが設けられ、
上記吐出弁（21）は、上記凹部（25）の底面に前面が当接する板状の弁体（18）と、該弁体（18）の変形量を制限する弁押さえ（16）とを備え、
上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられていることを特徴とする回転式圧縮機。
【請求項２】
環状のシリンダ室（41,42）を有するシリンダ（40）と、該シリンダ（40）に対して偏心してシリンダ室（41,42）に収納され、シリンダ室（41,42）を外側シリンダ室（41）と内側シリンダ室（42）とに区画する環状ピストン（45）と、上記シリンダ室（41,42）に配置され、各シリンダ室（41,42）を第１室（41a,42a）と第２室（41b,42b）とに区画するブレード（46）と、該シリンダ（40）又は該環状ピストン（45）の一端部に形成されて前面が上記シリンダ室（41,42）に面する鏡板部（37）とを備え、上記シリンダ（40）と上記環状ピストン（45）とが相対的に偏心回転運動することによって上記シリンダ室（41,42）内の流体を圧縮する回転式圧縮機であって、
上記鏡板部（37）には、背面側に凹部（25）が形成されると共に、上記シリンダ室（41,42）に連通して該凹部（25）の底面に開口する吐出通路（51,52）と、リード弁で構成されて該吐出通路（51,52）を開閉する吐出弁（21）とが設けられ、
上記吐出弁は、上記凹部（25）の底面に前面が当接する板状の弁体（18）と、該弁体（18）の変形量を制限する弁押さえ（16）とを備え、
上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられていることを特徴とする回転式圧縮機。
【請求項３】
請求項１又は２において、
上記吐出弁（21）は、上記弁体（18）の基端側を貫通して該弁体（18）の移動を制限するピン部材（24）を備えていることを特徴とする回転式圧縮機。
【請求項４】
請求項３において、
上記弁押さえ（16）と上記凹部（25）の底面との間には、上記弁体（18）の基端側が上記ピン部材（24）の軸方向へ移動するのを許容するための隙間が形成されていることを特徴とする回転式圧縮機。
【請求項５】
請求項１乃至３の何れか１つにおいて、
上記弁体（18）の基端側が、上記弁押さえ（16）と上記凹部（25）の底面とに挟み込まれていることを特徴とする回転式圧縮機。
【請求項６】
請求項１又は２において、
上記弁体（18）は、その基端側が背面側へ折り曲げられて、上記弁押さえ（16）と上記凹部（25）の壁面とに挟み込まれていることを特徴とする回転式圧縮機。
【請求項７】
請求項１乃至６の何れか１つにおいて、
冷凍サイクルを行う冷凍装置の冷媒回路に設けられ、該冷媒回路に冷媒として充填された二酸化炭素を圧縮することを特徴とする回転式圧縮機。
【発明の詳細な説明】
【技術分野】
【０００１】
本発明は、可動部材と固定部材とによって形成される圧縮室で流体を圧縮する回転式圧縮機に関するものである。
【背景技術】
【０００２】
従来より、圧縮室に連通する吐出通路を開閉する吐出弁がリード弁で構成されている回転式圧縮機が知られている。この種の吐出弁は、板状の弁体と、その弁体の変形量を制限する弁押さえとから構成され、前面が圧縮室に面する鏡板部の背面側に設けられる。弁体は鏡板部の背面に沿って設けられ、弁押さえは弁体の背面側に設けられる。
【０００３】
この種の吐出弁を用いる回転式圧縮機では、吐出通路が圧縮過程において吐出されない流体が残るデッドボリューム（死容積）になるため、吐出通路の長さを短くするのが望ましい。しかし、吐出通路の長さを短くするために鏡板部の吐出通路周辺の厚みを薄くして凹部を形成すると、その凹部で鏡板部の強度が弱くなる。この場合、圧縮室が低圧状態の時に、その圧縮室側と吐出空間側との圧力差よって凹部が圧縮室側に変形し、圧縮室から冷媒が漏れて圧縮機の効率が低下するという問題がある。また、弁体と弁押さえとは、薄肉の凹部にボルトで固定されるので、ボルトを締め付けた時にその凹部に歪みが生じるという問題もある。
【０００４】
そこで、このような問題を解決するための吐出弁を備える回転圧縮機が、特許文献１に開示されている。特許文献１の回転圧縮機の吐出弁の断面図を図１４に示す。この回転圧縮機では、前面が圧縮室に面する鏡板部である軸受の背面側に凹部が形成され、その凹部の底面に吐出穴が開口している。凹部は、弁体と弁押さえとが取り付けられる側の壁面が斜面になっている。弁体と弁押さえとを固定するボルトは、比較的厚肉の斜面の上側に設けられている。
【特許文献１】特開昭６２−２４３９８４号公報
【発明の開示】
【発明が解決しようとする課題】
【０００５】
しかしながら、従来の回転式圧縮機では、凹部の斜面部分の厚みが凹部の底面部分よりも厚くなっているが、凹部の周囲よりも薄くなっている。このため、ボルトを締め付けた時の凹部の歪みを防止でき、さらに上述したような圧縮室が低圧状態の時の凹部の変形は抑制されるが、凹部は依然として強度が弱くその変形が問題となる。
【０００６】
本発明は、かかる点に鑑みてなされたものであり、その目的とするこころは、吐出弁がリード弁で構成されている回転式圧縮機において、圧縮室で流体を圧縮する過程で発生する鏡板部の変形を低減させることにある。
【課題を解決するための手段】
【０００７】
第１の発明は、偏心運動する可動部材（38）と、該可動部材（38）と共に圧縮室（41,42）を形成する固定部材（39）とを備え、上記可動部材（38）を駆動することにより上記圧縮室（41,42）へ吸入した流体を圧縮する回転式圧縮機を対象とする。そして、上記固定部材（39）は、前面が上記圧縮室（41,42）に面する鏡板部（37）を備え、上記鏡板部（37）には、背面側に凹部（25）が形成されると共に、上記圧縮室（41,42）に連通して該凹部（25）の底面に開口する吐出通路（51,52）と、リード弁で構成されて該吐出通路（51,52）を開閉する吐出弁（21）とが設けられ、上記吐出弁（21）は、上記凹部（25）の底面に前面が当接する板状の弁体（18）と、該弁体（18）の変形量を制限する弁押さえ（16）とを備え、上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられている。
【０００８】
第１の発明では、弁体（18）の変形量を制限する弁押さえ（16）が、弁体（18）の背面に当接可能な本体部（17）と、凹部（25）の外側へ延びる固定部（19a）とを備えている。弁押さえ（16）は、その固定部（19a）が鏡板部（37）の凹部（25）の外側に固定された状態で、該鏡板部（37）に取り付けられる。従って、この第１の発明では、弁押さえ（16）を固定するためのスペースを凹部（25）内に確保する必要がない。
【０００９】
また、第２の発明は、環状のシリンダ室（41,42）を有するシリンダ（40）と、該シリンダ（40）に対して偏心してシリンダ室（41,42）に収納され、シリンダ室（41,42）を外側シリンダ室（41）と内側シリンダ室（42）とに区画する環状ピストン（45）と、上記シリンダ室（41,42）に配置され、各シリンダ室（41,42）を第１室（41a,42a）と第２室（41b,42b）とに区画するブレード（46）と、該シリンダ（40）又は該環状ピストン（45）の一端部に形成されて前面が上記シリンダ室（41,42）に面する鏡板部（37）とを備え、上記シリンダ（40）と上記環状ピストン（45）とが相対的に偏心回転運動することによって上記シリンダ室（41,42）内の流体を圧縮する回転式圧縮機を対象とする。そして、上記鏡板部（37）には、背面側に凹部（25）が形成されると共に、上記シリンダ室（41,42）に連通して該凹部（25）の底面に開口する吐出通路（51,52）と、リード弁で構成されて該吐出通路（51,52）を開閉する吐出弁（21）とが設けられ、上記吐出弁は、上記凹部（25）の底面に前面が当接する板状の弁体（18）と、該弁体（18）の変形量を制限する弁押さえ（16）とを備え、上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられている。
【００１０】
第２の発明では、弁体（18）の変形量を制限する弁押さえ（16）が、弁体（18）の背面に当接可能な本体部（17）と、凹部（25）の外側へ延びる固定部（19a）とを備えている。弁押さえ（16）は、その固定部（19a）が鏡板部（37）の凹部（25）の外側に固定された状態で、該鏡板部（37）に取り付けられる。従って、この第２の発明では、弁押さえ（16）を固定するためのスペースを凹部（25）内に確保する必要がない。
【００１１】
第３の発明は、第１又は第２の発明において、上記吐出弁（21）が、上記弁体（18）の基端側を貫通して該弁体（18）の移動を制限するピン部材（24）を備えている。
【００１２】
第３の発明では、基端側を貫通するピン部材（24）によって弁体（18）の移動が制限されている。弁体（18）は、ピン部材（24）によって基端側の移動が制限された状態で、先端側が吐出通路（51,52）を開閉する。
【００１３】
第４の発明は、第３の発明において、上記弁押さえ（16）と上記凹部（25）の底面との間には、上記弁体（18）の基端側が上記ピン部材（24）の軸方向へ移動するのを許容するための隙間が形成されている。
【００１４】
第４の発明では、弁押さえ（16）と凹部（25）の底面との間に隙間が形成されて、弁体（18）がピン部材（24）の軸方向に移動可能になっている。すなわち、弁体（18）がピン部材（24）の軸方向へ移動することによって、吐出通路（51,52）の出口が開くようになっている。従って、流体が吐出通路（51,52）から吐出される際の弁体（18）の変形量が少なくてすむ。
【００１５】
第５の発明は、第１乃至第３の発明の何れか１つにおいて、上記弁体（18）の基端側が、上記弁押さえ（16）と上記凹部（25）の底面とに挟み込まれている。
【００１６】
第５の発明では、弁押さえ（16）と凹部（25）の底面とによって弁体（18）の基端部が挟み込まれて、弁体（18）が鏡板部（37）に固定される。つまり、弁押さえ（16）と凹部（25）の底面とを利用して、弁体（18）が鏡板部（37）に固定される。
【００１７】
第６の発明は、第１又は第２の発明において、上記弁体（18）は、その基端側が背面側へ折り曲げられて、上記弁押さえ（16）と上記凹部（25）の壁面とに挟み込まれている。
【００１８】
第６の発明では、弁体（18）の先端側が凹部（25）の底面に当接し、折り曲げられた基端側が凹部（25）の壁面に当接している。弁体（18）は、この状態でその基端側が弁押さえ（16）と凹部（25）の壁面とに挟み込まれて固定されている。この第６の発明では、弁体（18）の先端側が当接する面と、弁体（18）の基端側が固定される面とが同一面内になっていない。従って、弁体（18）の先端側が当接する凹部（25）の底面の面上における弁体（18）の移動が制限され、弁体（18）の回転が防止される。
【００１９】
第７の発明は、第１乃至第６の発明の何れか１つにおいて、冷凍サイクルを行う冷凍装置の冷媒回路に設けられ、該冷媒回路に冷媒として充填された二酸化炭素を圧縮する。
【００２０】
第７の発明では、回転式圧縮機（10）が圧縮室（41,42）又はシリンダ室（41,42）で二酸化炭素を圧縮する。ここで、冷媒として二酸化炭素を用いる冷凍サイクルでは、圧縮室（41,42）又はシリンダ室（41,42）に吸入される低圧冷媒と該圧縮室（41,42）又はシリンダ室（41,42）から吐出される高圧冷媒との圧力差が大きくなる。このため、この第７の発明では、冷媒を圧縮する過程で圧縮室（41,42）又はシリンダ室（41,42）が低圧状態の時に、圧縮室（41,42）又はシリンダ室（41,42）側と吐出空間側と間で生じる圧力差が、一般的なフロン冷媒を用いる場合に比べて大きくなる。
【発明の効果】
【００２１】
本発明では、弁押さえ（16）の固定部（19a）が凹部（25）の外側へ延びるように設けられるので、その固定部（19a）を鏡板部（37）の凹部（25）の外側に固定することで弁押さえ（16）が該鏡板部（37）に取り付けられる。これによって、凹部（25）内に弁押さえ（16）を固定するためのスペースを確保する必要がなくなり、周囲に比べて強度が弱い凹部（25）の面積を小さくすることができる。従って、圧縮室（41,42）で流体を圧縮する過程で発生する鏡板部（37）の変形を低減させることができ、鏡板部（37）の変形に伴う圧縮室（41,42）からの冷媒漏れを低減させることができる。よって、この発明の回転式圧縮機（10）では圧縮効率を向上させることができる。
【００２２】
また、上記第４の発明では、弁体（18）をピン部材（24）の軸方向に移動可能にすることで、弁体（18）がピン部材（24）の軸方向へ移動することによって吐出通路（51,52）の出口が開くようになっている。従って、流体が吐出通路（51,52）から吐出される際の弁体（18）の変形量が少なくてすむので、その際の吐出圧力損失を減少させることができる。よって、流体が吐出通路（51,52）から吐出される際の過圧縮損失を低減させることができるので、この発明の回転式圧縮機（10）では圧縮効率をさらに向上させることができる。
【００２３】
また、上記第５の発明では、弁体（18）を固定するために、弁押さえ（16）と凹部（25）の底面とを利用している。従って、弁体（18）の固定するための手段を設ける必要がないので、吐出弁（21）の構成を簡素化することができる。
【００２４】
また、上記第６の発明では、背面側へ折り曲げられた弁体（18）の基端側を弁押さえ（16）と凹部（25）の壁面とで挟み込むことによって、弁体（18）の回転を防止するようにしている。この第６の発明よれば、弁体（18）の回転を防止するための手段を設けなくても、弁体（18）の基端側を折り曲げてその折り曲げた部分を凹部（25）の壁面側に固定するだけで弁体（18）の回転を防止している。従って、弁体（18）の回転を防止するための手段を設ける必要がないので、吐出弁（21）の構成を簡素化することができる。
【００２５】
また、上記第７の発明では、冷媒としての二酸化炭素を圧縮する過程で圧縮室（41,42）又はシリンダ室（41,42）が低圧状態の時に、圧縮室（41,42）又はシリンダ室（41,42）側と吐出空間側と間で生じる圧力差が、一般的なフロン冷媒を用いる場合に比べて大きくなる。ここで、従来は、鏡板部（37）において凹部（25）が占める面積が比較的大きいので、冷媒として二酸化炭素を用いる冷媒回路に回転式圧縮機（10）を設けると、鏡板部（37）を挟む上記圧力差によって鏡板部（37）の変形量が大きくなる傾向があった。それに対して、本発明の回転式圧縮機（10）によれば凹部（25）の面積が小さくなるので、鏡板部（37）の剛性が向上する。従って、本発明の回転式圧縮機（10）は、冷媒として二酸化炭素を用いる冷媒回路に設ける場合に特に有効である。
【発明を実施するための最良の形態】
【００２６】
以下、本発明の実施形態を図面に基づいて詳細に説明する。
【００２７】
《発明の実施形態１》
本発明の実施形態１ついて説明する。実施形態１の圧縮機（10）の縦断面図を図１に示す。この圧縮機（10）は、後述する環状ピストン（45）とシリンダ（40）とが相対的に偏心回転運動することによってシリンダ室（41,42）内の冷媒を圧縮する回転式圧縮機（10）である。この回転式圧縮機（10）は、冷媒として二酸化炭素が充填されて蒸気圧縮冷凍サイクルを行う冷凍装置の冷媒回路に設けられている。この回転式圧縮機（10）は、蒸発器から吸入した冷媒を圧縮して凝縮器へ吐出する。この冷媒回路では、冷凍サイクルの高圧が二酸化炭素の臨界圧力以上になる。なお、この回転式圧縮機（10）を二酸化炭素以外の冷媒を用いる冷媒回路に設けてもよい。
【００２８】
圧縮機（10）は、縦長で円筒形の密閉容器であるケーシング（15）を備えている。このケーシング（15）の内部には、下寄りの位置に圧縮機構（20）が配置され、上寄りの位置に電動機（30）が配置されている。
【００２９】
ケーシング（15）には、その胴部を貫通する吸入管（14）が設けられている。吸入管（14）は、圧縮機構（20）に接続されている。また、ケーシング（15）には、その上部を貫通する吐出管（13）が設けられている。吐出管（13）は、その入口が電動機（30）の上側の空間に開口している。
【００３０】
ケーシング（15）の内部には、上下方向に延びるクランク軸（33）が設けられている。このクランク軸（33）は、主軸部（33a）と偏心部（33b）とを備えている。偏心部（33b）は、クランク軸（33）の下寄りの位置に設けられ、主軸部（33a）よりも大径の円柱状に形成されている。この偏心部（33b）は、その軸心が主軸部（33a）の軸心から所定量だけ偏心している。
【００３１】
圧縮機構（20）は、偏心運動する可動部材（38）と、その可動部材（38）と共に後述する圧縮室（41,42）を形成する固定部材（39）とを備えている。可動部材（38）は、シリンダ（40）とブレード（46）とを備えている。シリンダ（40）とブレード（46）とは、一体に形成されている。固定部材（39）は、環状ピストン（45）と、鏡板部である円板状の下部ハウジング（37）と、円板状の上部ハウジング（36）とを備えている。環状ピストン（45）と下部ハウジング（37）とは、一体に形成されている。圧縮機構（20）は、シリンダ（40）が上部ハウジング（36）と下部ハウジング（37）とに挟み込まれて一体となり、上部ハウジング（36）の外周部でケーシング（15）に固定されている。
【００３２】
シリンダ（40）は、外側シリンダ（40a）と内側シリンダ（40b）とを備えている。外側シリンダ（40a）と内側シリンダ（40b）とは、上部が連結部材（47）で連結されて一体になっている。連結部材（47）は、環状ピストン（45）の一端部（上側）に形成され、後述するシリンダ室（41,42）に面している。
【００３３】
図２に示すように、外側シリンダ（40a）と内側シリンダ（40b）とは、共に円環状に形成されている。外側シリンダ（40a）の内周面と内側シリンダ（40b）の外周面とは、互いに同一中心上に配置された円筒面になっている。外側シリンダ（40a）の内周面と内側シリンダ（40b）の外周面との間には、環状のシリンダ室（41,42）が形成されている。
【００３４】
環状ピストン（45）は、円環の一部分が分断されたＣ型形状に形成されている。環状ピストン（45）は、外周面が外側シリンダ（40a）の内周面よりも小径で、内周面が内側シリンダ（40b）の外周面よりも大径に形成されている。環状ピストン（45）は、シリンダ（40）に対して偏心した状態でシリンダ室（41,42）内に収納されている。これにより、環状ピストン（45）がシリンダ室（41,42）を内側と外側とに区画している。環状ピストン（45）の外周面と外側シリンダ（40a）の内周面との間には、圧縮室である外側シリンダ室（41）が形成され、環状ピストン（45）の内周面と内側シリンダ（40b）の外周面との間には、圧縮室である内側シリンダ室（42）が形成されている。
【００３５】
環状ピストン（45）とシリンダ（40）とは、環状ピストン（45）の外周面と外側シリンダ（40a）の内周面とが１点で実質的に接する状態（厳密にはミクロンオーダーの隙間があるが、その隙間での冷媒の漏れが問題にならない状態）において、その接点と位相が１８０°異なる位置で、環状ピストン（45）の内周面と内側シリンダ（40b）の外周面とが１点で実質的に接するようになっている。
【００３６】
内側シリンダ（40b）の内周面には、クランク軸（33）の偏心部（33b）が摺動自在に嵌め込まれている。本実施形態１の回転式圧縮機（10）では、可動部材（38）を構成するシリンダ（40）が偏心回転運動を行うことで、固定部材（39）を構成する環状ピストン（45）とシリンダ（40）とが相対的に回転するように構成されている。
【００３７】
ブレード（46）は、環状ピストン（45）の分断箇所を挿通して、外側シリンダ（40a）の内周面から内側シリンダ（40b）の外周面までシリンダ室（41,42）の径方向に延びるように構成されている。ブレード（46）は、外側シリンダ（40a）の内周面と内側シリンダ（40b）の外周面とに固定されている。これによって、ブレード（46）は、上記各シリンダ室（41,42）を第１室である高圧室（41a,42a）と第２室である低圧室（41b,42b）とに区画している。
【００３８】
圧縮機構（20）には、環状ピストン（45）の分断部（円環の一部分が抜き取られたＣ型形状の開口部）において、環状ピストン（45）とブレード（46）とを相互に可動に連結する揺動ブッシュ（27）が設けられている。揺動ブッシュ（27）は、ブレード（46）に対して高圧室（41a,42a）側に位置する吐出側ブッシュ（27a）と、ブレード（46）に対して低圧室（41b,42b）側に位置する吸入側ブッシュ（27b）とから構成されている。吐出側ブッシュ（27a）と吸入側ブッシュ（27b）とは、いずれも断面形状が略半円形で同一形状に形成され、フラット面同士が対向するように配置されている。そして、両ブッシュ（27a，27b）の対向するフラット面の間のスペースがブレード溝（28）を構成している。
【００３９】
このブレード溝（28）には、ブレード（46）が挿入されている。揺動ブッシュ（27a,27b）のフラット面（ブレード溝（28）の両側面）は、ブレード（46）と実質的に面接触している。揺動ブッシュ（27a,27b）の円弧状の外周面は、環状ピストン（45）と実質的に面接触している。揺動ブッシュ（27a,27b）は、ブレード溝（28）にブレード（46）を挟んだ状態で、ブレード（46）がその面方向にブレード溝（28）内を進退するように構成されている。同時に、揺動ブッシュ（27a，27b）は、環状ピストン（45）に対してブレード（46）と一体的に揺動するように構成されている。従って、揺動ブッシュ（27）は、該揺動ブッシュ（27）の中心点を揺動中心としてブレード（46）と環状ピストン（45）とが相対的に揺動可能となり、かつブレード（46）が環状ピストン（45）に対して該ブレード（46）の面方向へ進退可能となるように構成されている。
【００４０】
なお、この実施形態１では両ブッシュ（27a，27b）を別体とした例について説明したが、両ブッシュ（27a，27b）は、一部で連結することにより一体構造としてもよい。
【００４１】
上部ハウジング（36）と下部ハウジング（37）とには滑り軸受けである軸受部（36a,37a）がそれぞれ形成されている。クランク軸（33）は、その軸受部（36a,37a）に回転自在に支持されている。本実施形態１の回転式圧縮機（10）では、クランク軸（33）が圧縮機構（20）を上下方向に貫通している。クランク軸（33）は、上部ハウジング（36）と下部ハウジング（37）とを介してケーシング（15）に保持されている。
【００４２】
下部ハウジング（37）は、シリンダ（40）の一端部（下側）に形成され、前面（図１において上面）がシリンダ室（41,42）に面している。また、下部ハウジング（37）の下側には、マフラー（23）が取り付けられている。下部ハウジング（37）とマフラー（23）との間には、吐出空間（53）が形成されている。また、上部ハウジング（36）と下部ハウジング（37）との外縁部には、吐出空間（53）と圧縮機構（20）の上側の空間とを連通する接続通路（57）が形成されている。
【００４３】
電動機（30）は、ステータ（31）とロータ（32）とを備えている。ステータ（31）は、ケーシング（15）の胴部の内壁に固定されている。ロータ（32）は、ステータ（31）の内側に配置されてクランク軸（33）の主軸部（33a）と連結されており、クランク軸（33）がロータ（32）とともに回転するように構成されている。
【００４４】
クランク軸（33）の下端部には、給油ポンプ（34）が設けられている。この給油ポンプ（34）は、クランク軸（33）の軸心に沿って延びて圧縮機構（20）と連通する給油路（図示省略）と接続されている。そして、給油ポンプ（34）は、ケーシング（15）内の底部に貯留された潤滑油を給油路を通じて圧縮機構（20）の摺動部に供給するように構成されている。
【００４５】
以上の構成において、クランク軸（33）が回転すると、外側シリンダ（40a）及び内側シリンダ（40b）は、ブレード溝（28）の方向（シリンダ室（41,42）の径方向）に進退しながら、揺動ブッシュ（27）の中心点を揺動中心として揺動する。この揺動動作により、シリンダ（40）は、クランク軸（33）に対して偏心しながら回転（公転）運動する（図５(Ａ)から(Ｄ)参照）。
【００４６】
また、外側シリンダ（40a）の外側には、吸入空間（6）が形成されている（図１参照）。ケーシング（15）の胴部を貫通する吸入管（14）の出口端は、吸入空間（6）に開口している。また、下部ハウジング（37）には、シリンダ（40）の径方向に延びる吸入通路（7）が形成されている。この吸入通路（7）は、内側シリンダ室（42）から吸入空間（6）に跨って、長穴状に形成されている。吸入通路（7）は、シリンダ室（41,42）の低圧室（41b,42b）と吸入空間（6）とを連通している。また、外側シリンダ（40a）には、吸入空間（6）と外側シリンダ室（41）の低圧室（41b）とを連通する貫通孔（43）が形成され、環状ピストン（45）には、外側シリンダ室（41）の低圧室（41b）と内側シリンダ室（42）の低圧室（42b）とを連通する貫通孔（44）が形成されている。
【００４７】
図３に示すように、下部ハウジング（37）の背面（吐出空間（53）側の面）には、凹部（25）が形成されている。下部ハウジング（37）の凹部（25）の底面部分の厚みは、その周囲に比べて薄くなっている。図４に示すように、凹部（25）は、略長方形状の窪みで、下部ハウジング（37）の中心と外周との真ん中付近に形成されている。
【００４８】
下部ハウジング（37）には、シリンダ室（41,42）に連通して凹部（25）の底面に開口する外側吐出通路（51）及び内側吐出通路（52）が設けられている。外側吐出通路（51）と内側吐出通路（52）とは、凹部（25）の長手方向の一端側（図４において右側）で凹部（25）の短手方向に並んで設けられている。外側吐出通路（51）の入口端は外側シリンダ室（41）の高圧室（41a）に開口し、内側吐出通路（52）の入口端は内側シリンダ室（42）の高圧室（42a）に開口している。この両吐出通路（51,52）は、シリンダ室（41,42）の高圧室（41a,42a）と吐出空間（53）とを接続している。
【００４９】
凹部（25）には、第１弁体（18a）と第２弁体（18b）とが設けられている。この両弁体（18a,18b）は、共に細長い板状で、その先端が吐出通路（51,52）の出口よりもひと回り大きい円形になっている。第１弁体（18a）と第２弁体（18b）とは、その長手方向が共に凹部（25）の長手方向と一致し、その前面が該凹部（25）の底面に当接するように配置されている。第１弁体（18a）は、先端部の前面が弁座面である外側吐出通路（51）の出口の周囲に当接するように配置されている。第２弁体（18b）は、先端部の前面が弁座面である内側吐出通路（52）の出口の周囲に当接するように配置されている。
【００５０】
下部ハウジング（37）には、基部（19）と第１本体部（17a）と第２本体部（17b）とからなる弁押さえ（16）が設けられている。弁押さえ（16）は、基部（19）の側面から同じ方向へ２つの本体部（17a,17b）が離れた状態で延びるように形成され、平面視でコ字状になっている。本体部（17）は、上面が湾曲して先端にゆくほど厚みが減少するように形成され、弁体（18）の背面側に設けられてその上面が弁押さえ面になっている。この弁押さえ（16）と上記弁体（18）とは、それぞれ本発明に係る吐出弁（21）を構成している。吐出弁（21）は、リード弁であって、弁体（18）が弾性変形することにより吐出通路（51,52）を開閉するように構成されている。
【００５１】
弁押さえ（16）の基部（19）は、本体部（17）側が厚肉に形成され、逆側が薄肉に形成されている。基部（19）の薄肉の部分にはボルト（22）を通すための貫通孔が１つ形成されている。この基部（19）の薄肉の部分は、弁押さえ（16）を下部ハウジング（37）に取り付けるための固定部（19a）となっている。基部（19）の下面は、平らに形成され本体部（17）の下面と面一になっている。基部（19）の上面は、本体部（17）の上面と連続しているが、厚肉の部分と薄肉の固定部（19a）との境界に段差が形成されている。
【００５２】
弁押さえ（16）は、その固定部（19a）が凹部（25）の外周部にボルト（22）によって固定された状態で、下部ハウジング（37）に取り付けられている。弁押さえ（16）は、その基部（19）の段差面が凹部（25）の吐出通路（51,52）が設けられている方と逆側（図４において左側）の壁面に当接し、その固定部（19a）の上面が下部ハウジング（37）の背面（下面）に当接している。固定部（19a）は、下部ハウジング（37）の背面に沿って凹部（25）の外側に延びている。
【００５３】
凹部（25）の底面と弁押さえ（16）との間には、弁体（18）の厚み以上の隙間が形成されている。つまり、弁体（18）が凹部（25）の底面に密着した状態において、弁体（18）と弁押さえ（16）との間には隙間が形成される。この隙間は、弁体（18）の先端側ほど大きくなっている。
【００５４】
また、吐出弁（21）には、第１弁体（18a）の基端部と第２弁体（18b）の基端部とを貫通するピン部材（24,24）が設けられている。ピン部材（24）は、１つの弁体（18a,18b）に対して２本設けられている。ピン部材（24）は、一端部が弁押さえ（16）の基部（19）の厚肉の部分に嵌め込まれ、他端部が凹部（25）の底面に嵌め込まれている。これにより、第１弁体（18a）と第２弁体（18b）とは、ピン部材（24）の軸方向に可動となる一方で、その回転が防止される。
【００５５】
−運転動作−
次に、この回転式圧縮機（10）の運転動作について図５を参照しながら説明する。
【００５６】
電動機（30）を起動すると、ロータ（32）の回転がクランク軸（33）を介して圧縮機構（20）の外側シリンダ（40a）及び内側シリンダ（40b）に伝達される。その結果、ブレード（46）が揺動ブッシュ（27a,27b）の間で往復運動（進退動作）を行い、かつ、ブレード（46）と揺動ブッシュ（27a,27b）が一体的となって、環状ピストン（45）に対して揺動動作を行う。そして、外側シリンダ（40a）及び内側シリンダ（40b）が環状ピストン（45）に対して揺動しながら公転し、圧縮機構（20）が所定の圧縮動作を行う。
【００５７】
ここで、外側シリンダ室（41）においては、図５(Ｄ）の状態（低圧室（41b）がほぼ最小容積となる状態）からシリンダ（40）が図の右回りに公転することで、吸入通路（7）から低圧室（41b）に冷媒（二酸化炭素）が吸入される。同時に、冷媒は、吸入空間（6）から貫通孔（43）を介して低圧室（41b）に吸入される。そして、シリンダ（40）が図５の(Ａ)、(Ｂ)、(Ｃ)の順に公転して再び図５の(Ｄ)の状態になると、上記低圧室（41b）への冷媒の吸入が完了する。
【００５８】
ここで、この低圧室（41b）は、冷媒が圧縮される高圧室（41a）となる一方、ブレード（46）を隔てて新たな低圧室（41b）が形成される。この状態でシリンダ（40）がさらに回転すると、新たに形成された低圧室（41b）において冷媒の吸入が繰り返される一方、高圧室（41a）の容積が減少し、該高圧室（41a）で冷媒が圧縮される。そして、高圧室（41a）の圧力が第１弁体（18a）に作用する背圧を上回ると、第１弁体（18a）が弁押さえ（16）側へ変形すると共にその弁押さえ（16）側へ移動して、その先端部が弁座面である外側吐出通路（51）の出口の周囲から離れる。これによって、外側シリンダ室（41）内で圧縮された高圧冷媒が、外側吐出通路（51）を通過して、吐出空間（53）へ吐出される。
【００５９】
内側シリンダ室（42）においては、図５(Ｂ)の状態（低圧室（42b）の容積がほぼ最小となる状態）からシリンダ（40）が図の右回りに公転することで、吸入通路（7）から低圧室（42b）に冷媒が吸入される。同時に、冷媒は、吸入空間（6）から貫通孔（44）を介して低圧室（42b）に吸入される。そして、シリンダ（40）が図５の(Ｃ)、(Ｄ)、(Ａ)の順に公転して再び図５の(Ｂ)の状態になると、上記低圧室（42b）への冷媒の吸入が完了する。
【００６０】
ここで、この低圧室（42b）は、冷媒が圧縮される高圧室（42a）となる一方、ブレード（46）を隔てて新たな低圧室（42b）が形成される。この状態でシリンダ（40）がさらに回転すると、新たに形成された低圧室（42b）において冷媒の吸入が繰り返される一方、高圧室（42a）の容積が減少し、該高圧室（42a）で冷媒が圧縮される。そして、高圧室（42a）の圧力が第２弁体（18b）に作用する背圧を上回ると、第２弁体（18b）が弁押さえ（16）側へ変形すると共にその弁押さえ（16）側へ移動して、その先端部が弁座面である内側吐出通路（52）の出口の周囲から離れる。これによって、内側シリンダ室（42）内で圧縮された高圧冷媒が、内側吐出通路（52）を通過して、吐出空間（53）へ吐出される。
【００６１】
吐出空間（53）へ吐出された冷媒は、接続通路（57）を流通して圧縮機構（20）の上側の空間へ流入し、電動機（30）の周囲に形成される隙間を流通して吐出管（13）から吐出される。
【００６２】
なお、弁体（18）の移動量及び変形量は、弁押さえ（16）によって制限されている。また、高圧室（41a,42a）の圧力が低圧状態になると、弁体（18）の先端部は、吐出空間（53）と高圧室（41a,42a）との圧力差によって凹部（25）の底面側へ吸い寄せられる。これによって、弁体（18）の先端部が吐出通路（51,52）の弁座面に再び密着し、その吐出通路（51,52）の出口が閉まる。
【００６３】
−実施形態１の効果−
この実施形態１では、弁押さえ（16）の固定部（19a）が凹部（25）の外側へ延びるように設けられるので、その固定部（19a）を下部ハウジング（37）の凹部（25）の外側に固定することで弁押さえ（16）が該下部ハウジング（37）に取り付けられる。これによって、凹部（25）内に弁押さえ（16）を固定するためのスペースを確保する必要がなくなり、周囲に比べて強度が弱い凹部（25）の面積を小さくすることができる。従って、シリンダ室（41,42）で冷媒を圧縮する過程で発生する下部ハウジング（37）の変形を低減させることができ、下部ハウジング（37）の変形に伴うシリンダ室（41,42）からの冷媒漏れを低減させる。よって、この実施形態１の回転式圧縮機（10）では圧縮効率を向上させることができる。
【００６４】
また、この実施形態１では、弁体（18）の基端部を２本のピン部材（24,24）が貫通している。２本のピン部材（24,24）は、両端がそれぞれ弁押さえ（16）と凹部（25）の底面とに嵌め込まれている。これによって、弁体（18）の移動は制限され、弁体（18）の回転を防止することができる。
【００６５】
また、この実施形態１では、弁押さえ（16）と凹部（25）の底面との間に隙間が形成されて、弁体（18）がピン部材（24）の軸方向に移動可能になっている。つまり、弁体（18）がピン部材（24）の軸方向へ移動することによって吐出通路（51,52）の出口が開くようになっている。従って、冷媒が吐出通路（51,52）から吐出される際の弁体（18）の変形量が少なくてすむので、その際の吐出圧力損失を減少させることができる。よって、冷媒が吐出通路（51,52）から吐出される際の過圧縮損失を低減させることができるので、この実施形態１の回転式圧縮機（10）では圧縮効率をさらに向上させることができる。
【００６６】
また、この実施形態１では、冷媒としての二酸化炭素を用いる冷媒回路に回転式圧縮機（10）が設けられているので、冷媒を圧縮する過程でシリンダ室（41,42）が低圧状態の時に、シリンダ室（41,42）側と吐出空間側と間で生じる圧力差が、一般的なフロン冷媒を用いる場合に比べて大きくなる。ここで、従来は、下部ハウジング（37）において凹部（25）が占める面積が比較的大きいので、冷媒として二酸化炭素を用いる冷媒回路に回転式圧縮機（10）を設けると、下部ハウジング（37）を挟む上記圧力差によって下部ハウジング（37）の変形量が大きくなる傾向があった。それに対して、本実施形態１の回転式圧縮機（10）によれば凹部（25）の面積が小さくなるので、下部ハウジング（37）の剛性が向上する。従って、本実施形態１の回転式圧縮機（10）は、冷媒として二酸化炭素を用いる冷媒回路に設ける場合に特に有効である。
【００６７】
また、この実施形態１では、弁押さえ（16）の本体部（17）が比較的厚肉になっているので、本体部（17）の側面と凹部（25）の壁面との間や第１本体部（17a）の側面と第２本体部（17b）の側面の間の冷媒流路の長さが長くなっている。ここで、冷媒として二酸化炭素を用いる場合は、一般的なフロン冷媒に比べて冷媒の流量当たりの冷凍能力が大きいので、同じ冷凍能力で比較するとシリンダ室（41,42）から吐出される冷媒の流速が小さい。従って、冷媒として二酸化炭素を用いる場合は、この冷媒流路を通過する冷媒の圧力損失が小さくなる。
【００６８】
《発明の実施形態２》
本発明の実施形態２ついて説明する。実施形態２の圧縮機（10）の縦断面図を図６に示す。この圧縮機（10）は、後述する可動スクロール（40）が固定スクロール（45）に対して公転運動することによって圧縮室（41）内の冷媒を圧縮するスクロール型の回転式圧縮機（10）である。この圧縮機（10）は、上記実施形態１と同様に、冷媒として二酸化炭素が充填されて蒸気圧縮冷凍サイクルを行う冷凍装置の冷媒回路に設けられている。
【００６９】
圧縮機（10）は、縦長で円筒形の密閉容器であるケーシング（15）を備えている。このケーシング（15）の内部には、上寄りの位置に圧縮機構（20）が配置され、下寄りの位置に電動機（30）が配置されている。
【００７０】
ケーシング（15）には、その上部を貫通する吸入管（14）が設けられている。吸入管（14）は、圧縮機構（20）に接続されている。また、ケーシング（15）には、その胴部を貫通する吐出管（13）が設けられている。吐出管（13）は、その入口が圧縮機構（20）と電動機（30）との間の空間に開口している。
【００７１】
ケーシング（15）の内部には、上下方向に延びるクランク軸（33）が設けられている。このクランク軸（33）は、主軸部（33a）と偏心部（33b）とを備えている。主軸部（33a）は、その上端部がやや大径に形成されている。偏心部（33b）は、主軸部（33a）よりも小径の円柱状に形成され、主軸部（33a）の上端面に立設されている。この偏心部（33b）は、その軸心が主軸部（33a）の軸心から所定量だけ偏心している。
【００７２】
電動機（30）の下側には、ケーシング（15）の胴部の下端部に固定される下部軸受部材（12）が設けられている。下部軸受部材（12）の中心部には滑り軸受けが形成されており、この滑り軸受けは主軸部（33a）の下端部を回転自在に支持している。
【００７３】
電動機（30）は、ステータ（31）とロータ（32）とを備えている。ステータ（31）は、ケーシング（15）の胴部の内壁に固定されている。ロータ（32）は、ステータ（31）の内側に配置されてクランク軸（33）の主軸部（33a）と連結されており、クランク軸（33）がロータ（32）とともに回転するように構成されている。
【００７４】
圧縮機構（20）は、偏心運動する可動部材である可動スクロール（38）と、その可動スクロール（38）と共に後述する圧縮室（41,42）を形成する固定部材である固定スクロール（39）と、ハウジング（11）とを備えている。ハウジング（11）は、その中央部が窪んだ比較的厚肉の円板状に形成されており、その外周部がケーシング（15）の胴部の上端部と接合されている。また、ハウジング（11）の中央部には、クランク軸（33）の主軸部（33a）が挿通されている。このハウジング（11）は、クランク軸（33）の主軸部（33a）を回転自在に支持する軸受けを構成している。
【００７５】
可動スクロール（38）は、円板状の鏡板部（56）と、その鏡板部（56）の前面側（図６において上面側）に立設された渦巻き壁状の可動側ラップ（48）と、その鏡板部（56）の背面側（図６において下面側）に突出した円筒状の突出部（35）とを備えている。この可動スクロール（38）は、図外のオルダムリングを介してハウジング（11）の上面に載置されている。また、可動スクロール（38）の突出部（35）には、クランク軸（33）の偏心部（33b）が挿入されている。つまり、可動スクロール（38）は、クランク軸（33）に係合されている。
【００７６】
固定スクロール（39）は、円板状の鏡板部（37）と、その鏡板部（37）の前面側（図６において下面側）に立設された渦巻き壁状の固定側ラップ（49）と、その鏡板部（37）の外周から外側に連続して形成された比較的厚肉の外周部（29）とを備えている。
【００７７】
図７に示すように、圧縮機構（20）では、固定スクロール（39）の固定側ラップ（49）と、可動スクロール（38）の可動側ラップ（48）とが噛み合わされている。そして、固定側ラップ（49）と可動側ラップ（48）とが互いに噛み合うことによって、複数の圧縮室（41）が形成される。
【００７８】
図８に示すように、固定スクロール（39）の鏡板部（37）の背面（図８において上面）には、凹部（25）が形成されている。鏡板部（37）の凹部（25）の底面部分の厚みは、その周囲に比べて薄くなっている。凹部（25）は、略長方形状の窪みで、鏡板部（37）の中心付近に形成されている。
【００７９】
鏡板部（37）には、圧縮室（41）に連通して凹部（25）の底面に開口する吐出通路（51）が設けられている。吐出通路（51）は、凹部（25）の長手方向の一端側（図８において左側）に設けられている。吐出通路（51）は、圧縮室（41）と圧縮機構（20）の上側の空間とを接続している。
【００８０】
凹部（25）には、弁体（18）が設けられている。この弁体（18）は、細長い板状で、その先端が吐出通路（51）の出口よりもひと回り大きい円形になっている。弁体（18）は、その長手方向が凹部（25）の長手方向と一致し、その前面が該凹部（25）の底面に当接するように配置されている。弁体（18）は、先端部の前面が弁座面である吐出通路（51）の出口の周囲に当接するように配置されている。
【００８１】
鏡板部（37）には、基部（19）と本体部（17）とからなる弁押さえ（16）が設けられている。本体部（17）は、下面が湾曲して先端にゆくほど厚みが減少するように形成され、弁体（18）の背面側に設けられてその下面が弁押さえ面になっている。この弁押さえ（16）と上記弁体（18）とは、それぞれ本発明に係る吐出弁（21）を構成している。吐出弁（21）は、リード弁であって、弁体（18）が弾性変形することにより吐出通路（51）を開閉するように構成されている。
【００８２】
弁押さえ（16）の基部（19）は、本体部（17）側が厚肉に形成され、逆側が薄肉に形成されている。基部（19）の薄肉の部分にはボルト（22）を通すための貫通孔が１つ形成されている。この基部（19）の薄肉の部分は、弁押さえ（16）を鏡板部（37）に取り付けるための固定部（19a）となっている。基部（19）の上面は、平らに形成され本体部（17）の上面と面一になっている。基部（19）の下面は、本体部（17）の下面と連続しているが、厚肉の部分と薄肉の固定部（19a）との境界に段差が形成されている。
【００８３】
弁押さえ（16）は、その固定部（19a）が凹部（25）の外周部にボルト（22）によって固定された状態で、鏡板部（37）に取り付けられている。弁押さえ（16）は、その基部（19）の段差面が凹部（25）の吐出通路（51）が設けられている方と逆側（図８において右側）の壁面に当接し、その固定部（19a）の下面が鏡板部（37）の背面（上面）に当接している。固定部（19a）は、鏡板部（37）の背面に沿って凹部（25）の外側に延びている。
【００８４】
凹部（25）の底面と弁押さえ（16）との間には、弁体（18）の厚み以上の隙間が形成されている。つまり、弁体（18）が凹部（25）の底面に密着した状態において、弁体（18）と弁押さえ（16）との間には隙間が形成される。この隙間は、弁体（18）の先端側ほど大きくなっている。
【００８５】
また、吐出弁（21）には、弁体（18）の基端部を貫通するピン部材（24,24）が２本設けられている。ピン部材（24）は、一端部が弁押さえ（16）の基部（19）の厚肉の部分に嵌め込まれ、他端部が凹部（25）の底面に嵌め込まれている。これにより、弁体（18）は、ピン部材（24）の軸方向に可動となる一方で、その回転が防止される。
【００８６】
−運転動作−
次に、このスクロール型の回転式圧縮機（10）の運転動作について説明する。
【００８７】
電動機（30）を起動すると、ロータ（32）の回転がクランク軸（33）を介して圧縮機構（20）の可動スクロール（38）に伝達される。クランク軸（33）の偏心部（33b）と係合する可動スクロール（38）は、オルダムリングによって案内され、自転することなく公転運動だけを行う。
【００８８】
可動スクロール（38）が公転運動を行うと、低圧のガス冷媒が吸入管（14）を通って可動側ラップ（48）及び固定側ラップ（49）の外周側から圧縮室（41）へ流入する。さらに、可動スクロール（38）が公転運動すると、圧縮室（41）に閉じ込められたガス冷媒が圧縮機構（20）の内側へ徐々に移動し、それに伴い圧縮室（41）の容積が減少してガス冷媒が圧縮されてゆく。そして、圧縮されたガス冷媒が吐出通路（51）の入口端が開口する圧縮機構（20）の内側まで導かれ、そのガス冷媒の圧力が弁体（18）に作用する背圧を上回ると、弁体（18）が弁押さえ（16）側へ変形すると共にその弁押さえ（16）側へ移動する。そして、弁体（18）が弁座面である吐出通路（51）の出口の周囲から離れ、圧縮されて高圧となったガス冷媒が吐出通路（51）を通って圧縮機構（20）の上側の空間へ吐出される。圧縮機構（20）から吐出されたガス冷媒は、図外の通路を通って圧縮機構（20）の下側の空間へ流入し、その後に吐出管（13）からケーシング（15）外へ吐出される。
【００８９】
《発明の実施形態３》
本発明の実施形態３ついて説明する。実施形態３の圧縮機（10）の縦断面図を図９に示す。この圧縮機（10）は、後述するピストン（40）がシリンダ（45）内で揺動運動することによって圧縮室（41）内の冷媒を圧縮するスイング型の回転式圧縮機（10）である。この圧縮機（10）は、上記実施形態１と同様に、冷媒として二酸化炭素が充填されて蒸気圧縮冷凍サイクルを行う冷凍装置の冷媒回路に設けられている。
【００９０】
圧縮機（10）は、縦長で円筒形の密閉容器であるケーシング（15）を備えている。このケーシング（15）の内部には、下寄りの位置に圧縮機構（20）が配置され、上寄りの位置に電動機（30）が配置されている。
【００９１】
ケーシング（15）には、その胴部を貫通するように吸入管（14）が設けられている。吸入管（14）は、圧縮機構（20）に接続されている。また、ケーシング（15）には、その上部を貫通する吐出管（13）が設けられている。吐出管（13）は、その入口が電動機（30）の上側の空間に開口している。
【００９２】
ケーシング（15）の内部には、上下方向に延びるクランク軸（33）が設けられている。このクランク軸（33）は、主軸部（33a）と偏心部（33b）とを備えている。偏心部（33b）は、クランク軸（33）の下寄りの位置に設けられ、主軸部（33a）よりも大径の円柱状に形成されている。この偏心部（33b）は、その軸心が主軸部（33a）の軸心から所定量だけ偏心している。
【００９３】
圧縮機構（20）は、揺動ピストン型のロータリ圧縮機を構成し、偏心運動する可動部材（38）と、その可動部材（38）と共に後述する圧縮室（41,42）を形成する固定部材（39）とを備えている。可動部材（38）は、円環状のピストン（45）を備えている。固定部材（39）は、シリンダ（40）と、そのシリンダ（40）の上面側に当接する円板状の鏡板部（37）と、そのシリンダ（40）の下面側に当接する円板状のハウジング（11）とを備えている。
【００９４】
図１０に示すように、ピストン（45）は、円環状に形成されて、シリンダ（40）内に配置されている。ピストン（45）の内周面には、クランク軸（33）の偏心部（33b）が摺動自在に嵌め込まれている。ピストン（45）の外周面とシリンダ（40）の内周面との間に圧縮室（41）が形成されている。また、ピストン（45）の側面には平板状のブレード（46）が突設されており、このブレード（46）は揺動ブッシュ（27）を介してシリンダ（40）に支持されている。これによって、ブレード（46）は、圧縮室（41）を第１室である高圧室（41a）と第２室である低圧室（41b）とに区画している。
【００９５】
シリンダ（40）には、吸入ポート（50）が形成されている。吸入ポート（50）は、シリンダ（40）を半径方向に貫通し、その終端がシリンダ（40）の内周面に開口している。吸入ポート（50）には、吸入管（14）が挿入されている。
【００９６】
電動機（30）は、ステータ（31）とロータ（32）とを備えている。ステータ（31）は、ケーシング（15）の胴部の内壁に固定されている。ロータ（32）は、ステータ（31）の内側に配置されてクランク軸（33）の主軸部（33a）と連結されており、クランク軸（33）がロータ（32）とともに回転するように構成されている。
【００９７】
クランク軸（33）の下端部には、給油ポンプ（34）が設けられている。この給油ポンプ（34）は、クランク軸（33）の軸心に沿って延びて圧縮機構（20）と連通する給油路（図示省略）と接続されている。そして、給油ポンプ（34）は、ケーシング（15）内の底部に貯留された潤滑油を給油路を通じて圧縮機構（20）の摺動部に供給するように構成されている。
【００９８】
鏡板部（37）は、前面（図９において下面）が圧縮室（41）に面している。図１１に示すように、鏡板部（37）の背面（図１１において上面）には、凹部（25）が形成されている。鏡板部（37）の凹部（25）の底面部分の厚みは、その周囲に比べて薄くなっている。凹部（25）は、略長方形状の窪みで、鏡板部（37）の中心と外周との真ん中付近に形成されている。
【００９９】
鏡板部（37）には、圧縮室（41）に連通して凹部（25）の底面に開口する吐出通路（51）が設けられている。吐出通路（51）は、凹部（25）の長手方向の一端側（図１１において右側）に設けられている。吐出通路（51）は、圧縮室（41）と圧縮機構（20）の上側の空間とを接続している。
【０１００】
凹部（25）には、弁体（18）が設けられている。この弁体（18）は、細長い板状で、その先端が吐出通路（51）の出口よりもひと回り大きい円形になっている。弁体（18）は、その長手方向が凹部（25）の長手方向と一致し、その前面が該凹部（25）の底面に当接するように配置されている。弁体（18）は、先端部の前面が弁座面である吐出通路（51）の出口の周囲に当接するように配置されている。
【０１０１】
鏡板部（37）には、基部（19）と本体部（17）とからなる弁押さえ（16）が設けられている。本体部（17）は、下面が湾曲して先端にゆくほど厚みが減少するように形成され、弁体（18）の背面側に設けられてその下面が弁押さえ面になっている。この弁押さえ（16）と上記弁体（18）とは、それぞれ本発明に係る吐出弁（21）を構成している。吐出弁（21）は、リード弁であって、弁体（18）が弾性変形することにより吐出通路（51）を開閉するように構成されている。
【０１０２】
弁押さえ（16）の基部（19）は、本体部（17）側が厚肉に形成され、逆側が薄肉に形成されている。基部（19）の薄肉の部分にはボルト（22）を通すための貫通孔が１つ形成されている。この基部（19）の薄肉の部分は、弁押さえ（16）を鏡板部（37）に取り付けるための固定部（19a）となっている。基部（19）の上面は、平らに形成され本体部（17）の上面と面一になっている。基部（19）の下面は、本体部（17）の下面と連続しているが、厚肉の部分と薄肉の固定部（19a）との境界に段差が形成されている。
【０１０３】
弁押さえ（16）は、その固定部（19a）が凹部（25）の外周部にボルト（22）によって固定された状態で、鏡板部（37）に取り付けられている。弁押さえ（16）は、その基部（19）の段差面が凹部（25）の吐出通路（51）が設けられている方と逆側（図１１において左側）の壁面に当接し、その固定部（19a）の下面が鏡板部（37）の背面（上面）に当接している。固定部（19a）は、鏡板部（37）の背面に沿って凹部（25）の外側に延びている。
【０１０４】
凹部（25）の底面と弁押さえ（16）との間には、弁体（18）の厚み以上の隙間が形成されている。つまり、弁体（18）が凹部（25）の底面に密着した状態において、弁体（18）と弁押さえ（16）との間には隙間が形成される。この隙間は、弁体（18）の先端側ほど大きくなっている。
【０１０５】
また、吐出弁（21）には、弁体（18）の基端部を貫通するピン部材（24,24）が２本設けられている。ピン部材（24）は、一端部が弁押さえ（16）の基部（19）の厚肉の部分に嵌め込まれ、他端部が凹部（25）の底面に嵌め込まれている。これにより、弁体（18）は、ピン部材（24）の軸方向に可動となる一方で、その回転が防止される。
【０１０６】
−運転動作−
次に、このスイング型の回転式圧縮機（10）の運転動作について説明する。
【０１０７】
電動機（30）を起動すると、ロータ（32）の回転がクランク軸（33）を介して圧縮機構に伝達されると、偏心部（33b）が回動する。偏心部（33b）が回動すると、この偏心部（33b）に摺動自在に外接するピストン（45）がシリンダ（40）内で揺動運動を行う。
【０１０８】
冷媒は、ピストン（45）の揺動運動に従って吸入ポート（50）からシリンダ（40）の圧縮室（41）に吸入される。吸入された冷媒は、圧縮室（41）で圧縮される。そして、高圧室（41a）の圧力が弁体（18）に作用する背圧を上回ると、弁体（18）が弁押さえ（16）側へ変形すると共にその弁押さえ（16）側へ移動して、弁座面である吐出通路（51）の出口の周囲から離れる。これによって、圧縮室（41）内で圧縮された高圧冷媒が、吐出通路（51）を通過して、圧縮機構（20）と電動機（30）との間の空間へ吐出される。
【０１０９】
圧縮機構（20）と電動機（30）との間の空間へ吐出された冷媒は、電動機（30）の周囲に形成される隙間を流通して吐出管（13）から吐出される。
【０１１０】
《その他の実施形態》
本発明は、上記実施形態について、以下のような構成としてもよい。
【０１１１】
吐出弁（21）は、ピン部材（24）を設けずに、弁体（18）の基端部を弁押さえ（16）と凹部（25）の底面とによって挟み込むようにしてもよい（図１２参照）。弁押さえ（16）は、基部（19）の厚肉の部分と薄肉の固定部（19a）との段差が凹部（25）の深さよりも大きくなるように形成されている。固定部（19a）と鏡板部（37）の背面との間には、隙間が形成されている。これによって、固定部（19a）でボルト（22）を締め付けると、弁押さえ（16）と凹部（25）の底面とによって弁体（18）の基端部を強固に挟み込むことができる。従って、弁体（18）を強固に固定することができるので、ピン部材（24）のような弁体（18）の回転を防止するための手段を設けなくても、その回転を抑制することができる。よって、吐出弁（21）の構成を簡素化することができる。
【０１１２】
また、吐出弁（21）は、その基端側を背面側へ折り曲げて、弁押さえ（16）と凹部（25）の壁面とに挟み込むようにしてもよい（図１３参照）。弁体（18）は、凹部（25）の底面から壁面に亘って当接するように配置されている。これによって、ピン部材（24）のような弁体（18）の回転を防止するための手段を設けなくても、弁体（18）の基端側を折り曲げてその折り曲げた部分を凹部（25）の壁面側に固定するだけで弁体（18）の回転を防止することができる。よって、吐出弁（21）の構成を簡素化することができる。
【０１１３】
また、矩形断面のピン部材（24）を用いて、弁体（18）の回転を防止するようにしてもよい。この場合、１本のピン部材（24）で弁体（18）の回転を防止することができる。
【０１１４】
また、回転式圧縮機（10）を二酸化炭素以外の冷媒を用いる冷媒回路に設けてもよい。
【０１１５】
なお、以上の実施形態は、本質的に好ましい例示であって、本発明、その適用物、あるいはその用途の範囲を制限することを意図するものではない。
【産業上の利用可能性】
【０１１６】
以上説明したように、本発明は、可動部材と固定部材とによって形成される圧縮室で流体を圧縮する回転式圧縮機について有用である。
【図面の簡単な説明】
【０１１７】
【図１】実施形態１に係る回転式圧縮機の縦断面図である。
【図２】実施形態１に係る回転式圧縮機の圧縮機構の横断面図である。
【図３】実施形態１に係る回転式圧縮機の吐出弁の断面図である。
【図４】実施形態１に係る回転式圧縮機の下部ハウジングの平面図である。
【図５】実施形態１に係る回転式圧縮機の圧縮機構の動作を示す横断面図である。
【図６】実施形態２に係る回転式圧縮機の縦断面図である。
【図７】実施形態２に係る回転式圧縮機の圧縮機構の横断面図である。
【図８】実施形態２に係る回転式圧縮機の吐出弁の断面図である。
【図９】実施形態３に係る回転式圧縮機の縦断面図である。
【図１０】実施形態３に係る回転式圧縮機の圧縮機構の横断面図である。
【図１１】実施形態３に係る回転式圧縮機の吐出弁の断面図である。
【図１２】その他の実施形態に係る回転式圧縮機の吐出弁の断面図である。
【図１３】その他の実施形態に係る回転式圧縮機の吐出弁の断面図である。
【図１４】従来の回転圧縮機の吐出弁の断面図である。
【符号の説明】
【０１１８】
10  回転式圧縮機
16  弁押さえ
17  本体部
18  弁体
19a 固定部
21  吐出弁
24  ピン部材
25  凹部
37  鏡板部（鏡板部）
38  可動部材
39  固定部材
40  シリンダ
41  外側シリンダ室（圧縮室）
41a 高圧室（第１室）
41b 低圧室（第２室）
42  内側シリンダ室（圧縮室）
42a 高圧室（第１室）
42b 低圧室（第２室）
45  環状ピストン
46  ブレード
51  外側吐出通路（吐出通路）
52  内側吐出通路（吐出通路）
【図１】
2006322450.tif 000003
【図２】
2006322450.tif 000004
【図３】
2006322450.tif 000005
【図４】
2006322450.tif 000006
【図５】
2006322450.tif 000007
【図６】
2006322450.tif 000008
【図７】
2006322450.tif 000009
【図８】
2006322450.tif 000010
【図９】
2006322450.tif 000011
【図１０】
2006322450.tif 000012
【図１１】
2006322450.tif 000013
【図１２】
2006322450.tif 000014
【図１３】
2006322450.tif 000015
【図１４】
2006322450.tif 000016
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
偏心運動する可動部材（38）と、該可動部材（38）と共に圧縮室（41,42）を形成する固定部材（39）とを備え、上記可動部材（38）を駆動することにより上記圧縮室（41,42）へ吸入した流体を圧縮する回転式圧縮機であって、
上記固定部材（39）は、前面が上記圧縮室（41,42）に面する鏡板部（37）を備え、
上記鏡板部（37）は、背面側に凹部（25）が形成されて、該凹部（25）の底面部分の厚みが該鏡板部（37）の本体部分より薄くなっており、
上記鏡板部（37）には、上記圧縮室（41,42）に連通して該凹部（25）の底面に開口する吐出通路（51,52）と、リード弁で構成されて該吐出通路（51,52）を開閉する吐出弁（21）とが設けられ、
上記吐出弁（21）は、上記凹部（25）の底面に前面が当接する板状の弁体（18）と、該弁体（18）の変形量を制限する弁押さえ（16）とを備え、
上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられていることを特徴とする回転式圧縮機。
【請求項２】
偏心運動する可動部材（38）と、該可動部材（38）と共に圧縮室（41,42）を形成する固定部材（39）とを備え、上記可動部材（38）を駆動することにより上記圧縮室（41,42）へ吸入した流体を圧縮する回転式圧縮機であって、
上記固定部材（39）は、前面が上記圧縮室（41,42）に面する鏡板部（37）を備え、
上記鏡板部（37）には、背面側に凹部（25）が形成されると共に、上記圧縮室（41,42）に連通して該凹部（25）の底面に開口する吐出通路（51,52）と、リード弁で構成されて該吐出通路（51,52）を開閉する吐出弁（21）とが設けられ、
上記吐出弁（21）は、上記凹部（25）の底面に前面が当接する板状の弁体（18）と、該弁体（18）の変形量を制限する弁押さえ（16）とを備え、
上記弁押さえ（16）は、上記弁体（18）の背面に当接可能で且つ、基端側に凹部（25）の壁面に当接可能な当接面が形成された本体部（17）と、該本体部（17）と一体に形成されて上記鏡板部（37）の背面に沿って上記凹部（25）の外側へ延びる固定部（19a）とを備え、上記本体部（17）の当接面が凹部（25）の壁面に当接するように該固定部（19a）を上記鏡板部（37）に固定することで該鏡板部（37）に取り付けられていることを特徴とする回転式圧縮機。
【請求項３】
環状のシリンダ室（41,42）を有するシリンダ（40）と、該シリンダ（40）に対して偏心してシリンダ室（41,42）に収納され、シリンダ室（41,42）を外側シリンダ室（41）と内側シリンダ室（42）とに区画する環状ピストン（45）と、上記シリンダ室（41,42）に配置され、各シリンダ室（41,42）を第１室（41a,42a）と第２室（41b,42b）とに区画するブレード（46）と、該シリンダ（40）又は該環状ピストン（45）の一端部に形成されて前面が上記シリンダ室（41,42）に面する鏡板部（37）とを備え、上記シリンダ（40）と上記環状ピストン（45）とが相対的に偏心回転運動することによって上記シリンダ室（41,42）内の流体を圧縮する回転式圧縮機であって、
上記鏡板部（37）は、背面側に凹部（25）が形成されて、該凹部（25）の底面部分の厚みが該鏡板部（37）の本体部分より薄くなっており、
上記鏡板部（37）には、上記シリンダ室（41,42）に連通して該凹部（25）の底面に開口する吐出通路（51,52）と、リード弁で構成されて該吐出通路（51,52）を開閉する吐出弁（21）とが設けられ、
上記吐出弁は、上記凹部（25）の底面に前面が当接する板状の弁体（18）と、該弁体（18）の変形量を制限する弁押さえ（16）とを備え、
上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられていることを特徴とする回転式圧縮機。
【請求項４】
環状のシリンダ室（41,42）を有するシリンダ（40）と、該シリンダ（40）に対して偏心してシリンダ室（41,42）に収納され、シリンダ室（41,42）を外側シリンダ室（41）と内側シリンダ室（42）とに区画する環状ピストン（45）と、上記シリンダ室（41,42）に配置され、各シリンダ室（41,42）を第１室（41a,42a）と第２室（41b,42b）とに区画するブレード（46）と、該シリンダ（40）又は該環状ピストン（45）の一端部に形成されて前面が上記シリンダ室（41,42）に面する鏡板部（37）とを備え、上記シリンダ（40）と上記環状ピストン（45）とが相対的に偏心回転運動することによって上記シリンダ室（41,42）内の流体を圧縮する回転式圧縮機であって、
上記鏡板部（37）には、背面側に凹部（25）が形成されると共に、上記シリンダ室（41,42）に連通して該凹部（25）の底面に開口する吐出通路（51,52）と、リード弁で構成されて該吐出通路（51,52）を開閉する吐出弁（21）とが設けられ、
上記吐出弁は、上記凹部（25）の底面に前面が当接する板状の弁体（18）と、該弁体（18）の変形量を制限する弁押さえ（16）とを備え、
上記弁押さえ（16）は、上記弁体（18）の背面に当接可能で且つ、基端側に凹部（25）の壁面に当接可能な当接面が形成された本体部（17）と、該本体部（17）と一体に形成されて上記鏡板部（37）の背面に沿って上記凹部（25）の外側へ延びる固定部（19a）とを備え、上記本体部（17）の当接面が凹部（25）の壁面に当接するように該固定部（19a）を上記鏡板部（37）に固定することで該鏡板部（37）に取り付けられていることを特徴とする回転式圧縮機。
【請求項５】
請求項１乃至４の何れか１つにおいて、
上記吐出弁（21）は、上記弁体（18）の基端側を貫通して該弁体（18）の移動を制限するピン部材（24）を備えていることを特徴とする回転式圧縮機。
【請求項６】
請求項５において、
上記弁押さえ（16）と上記凹部（25）の底面との間には、上記弁体（18）の基端側が上記ピン部材（24）の軸方向へ移動するのを許容するための隙間が形成されていることを特徴とする回転式圧縮機。
【請求項７】
請求項１乃至５の何れか１つにおいて、
上記弁体（18）の基端側が、上記弁押さえ（16）と上記凹部（25）の底面とに挟み込まれていることを特徴とする回転式圧縮機。
【請求項８】
請求項１乃至４の何れか１つにおいて、
上記弁体（18）は、その基端側が背面側へ折り曲げられて、上記弁押さえ（16）と上記凹部（25）の壁面とに挟み込まれていることを特徴とする回転式圧縮機。
【請求項９】
請求項１乃至８の何れか１つにおいて、
冷凍サイクルを行う冷凍装置の冷媒回路に設けられ、該冷媒回路に冷媒として充填された二酸化炭素を圧縮することを特徴とする回転式圧縮機。
【手続補正２】
【補正対象書類名】明細書
【補正対象項目名】全文
【補正方法】変更
【補正の内容】
【発明の詳細な説明】
【技術分野】
【０００１】
本発明は、可動部材と固定部材とによって形成される圧縮室で流体を圧縮する回転式圧縮機に関するものである。
【背景技術】
【０００２】
従来より、圧縮室に連通する吐出通路を開閉する吐出弁がリード弁で構成されている回転式圧縮機が知られている。この種の吐出弁は、板状の弁体と、その弁体の変形量を制限する弁押さえとから構成され、前面が圧縮室に面する鏡板部の背面側に設けられる。弁体は鏡板部の背面に沿って設けられ、弁押さえは弁体の背面側に設けられる。
【０００３】
この種の吐出弁を用いる回転式圧縮機では、吐出通路が圧縮過程において吐出されない流体が残るデッドボリューム（死容積）になるため、吐出通路の長さを短くするのが望ましい。しかし、吐出通路の長さを短くするために鏡板部の吐出通路周辺の厚みを薄くして凹部を形成すると、その凹部で鏡板部の強度が弱くなる。この場合、圧縮室が低圧状態の時に、その圧縮室側と吐出空間側との圧力差よって凹部が圧縮室側に変形し、圧縮室から冷媒が漏れて圧縮機の効率が低下するという問題がある。また、弁体と弁押さえとは、薄肉の凹部にボルトで固定されるので、ボルトを締め付けた時にその凹部に歪みが生じるという問題もある。
【０００４】
そこで、このような問題を解決するための吐出弁を備える回転圧縮機が、特許文献１に開示されている。特許文献１の回転圧縮機の吐出弁の断面図を図１４に示す。この回転圧縮機では、前面が圧縮室に面する鏡板部である軸受の背面側に凹部が形成され、その凹部の底面に吐出穴が開口している。凹部は、弁体と弁押さえとが取り付けられる側の壁面が斜面になっている。弁体と弁押さえとを固定するボルトは、比較的厚肉の斜面の上側に設けられている。
【特許文献１】特開昭６２−２４３９８４号公報
【発明の開示】
【発明が解決しようとする課題】
【０００５】
しかしながら、従来の回転式圧縮機では、凹部の斜面部分の厚みが凹部の底面部分よりも厚くなっているが、凹部の周囲よりも薄くなっている。このため、ボルトを締め付けた時の凹部の歪みを防止でき、さらに上述したような圧縮室が低圧状態の時の凹部の変形は抑制されるが、凹部は依然として強度が弱くその変形が問題となる。
【０００６】
本発明は、かかる点に鑑みてなされたものであり、その目的とするこころは、吐出弁がリード弁で構成されている回転式圧縮機において、圧縮室で流体を圧縮する過程で発生する鏡板部の変形を低減させることにある。
【課題を解決するための手段】
【０００７】
第１の発明は、偏心運動する可動部材（38）と、該可動部材（38）と共に圧縮室（41,42）を形成する固定部材（39）とを備え、上記可動部材（38）を駆動することにより上記圧縮室（41,42）へ吸入した流体を圧縮する回転式圧縮機を対象とする。そして、上記固定部材（39）は、前面が上記圧縮室（41,42）に面する鏡板部（37）を備え、上記鏡板部（37）は、背面側に凹部（25）が形成されて、該凹部（25）の底面部分の厚みが該鏡板部（37）の本体部分より薄くなっており、上記鏡板部（37）には、上記圧縮室（41,42）に連通して該凹部（25）の底面に開口する吐出通路（51,52）と、リード弁で構成されて該吐出通路（51,52）を開閉する吐出弁（21）とが設けられ、上記吐出弁（21）は、上記凹部（25）の底面に前面が当接する板状の弁体（18）と、該弁体（18）の変形量を制限する弁押さえ（16）とを備え、上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられている。
【０００８】
第１の発明では、弁体（18）の変形量を制限する弁押さえ（16）が、弁体（18）の背面に当接可能な本体部（17）と、凹部（25）の外側へ延びる固定部（19a）とを備えている。弁押さえ（16）は、その固定部（19a）が鏡板部（37）の凹部（25）の外側に固定された状態で、該鏡板部（37）に取り付けられる。従って、この第１の発明では、弁押さえ（16）を固定するためのスペースを凹部（25）内に確保する必要がない。
【０００９】
第２の発明は、偏心運動する可動部材（38）と、該可動部材（38）と共に圧縮室（41,42）を形成する固定部材（39）とを備え、上記可動部材（38）を駆動することにより上記圧縮室（41,42）へ吸入した流体を圧縮する回転式圧縮機を対象とする。そして、上記固定部材（39）は、前面が上記圧縮室（41,42）に面する鏡板部（37）を備え、上記鏡板部（37）には、背面側に凹部（25）が形成されると共に、上記圧縮室（41,42）に連通して該凹部（25）の底面に開口する吐出通路（51,52）と、リード弁で構成されて該吐出通路（51,52）を開閉する吐出弁（21）とが設けられ、上記吐出弁（21）は、上記凹部（25）の底面に前面が当接する板状の弁体（18）と、該弁体（18）の変形量を制限する弁押さえ（16）とを備え、上記弁押さえ（16）は、上記弁体（18）の背面に当接可能で且つ、基端側に凹部（25）の壁面に当接可能な当接面が形成された本体部（17）と、該本体部（17）と一体に形成されて上記鏡板部（37）の背面に沿って上記凹部（25）の外側へ延びる固定部（19a）とを備え、上記本体部（17）の当接面が凹部（25）の壁面に当接するように該固定部（19a）を上記鏡板部（37）に固定することで該鏡板部（37）に取り付けられている。
【００１０】
第３の発明は、環状のシリンダ室（41,42）を有するシリンダ（40）と、該シリンダ（40）に対して偏心してシリンダ室（41,42）に収納され、シリンダ室（41,42）を外側シリンダ室（41）と内側シリンダ室（42）とに区画する環状ピストン（45）と、上記シリンダ室（41,42）に配置され、各シリンダ室（41,42）を第１室（41a,42a）と第２室（41b,42b）とに区画するブレード（46）と、該シリンダ（40）又は該環状ピストン（45）の一端部に形成されて前面が上記シリンダ室（41,42）に面する鏡板部（37）とを備え、上記シリンダ（40）と上記環状ピストン（45）とが相対的に偏心回転運動することによって上記シリンダ室（41,42）内の流体を圧縮する回転式圧縮機を対象とする。そして、上記鏡板部（37）は、背面側に凹部（25）が形成されて、該凹部（25）の底面部分の厚みが該鏡板部（37）の本体部分より薄くなっており、上記鏡板部（37）には、上記シリンダ室（41,42）に連通して該凹部（25）の底面に開口する吐出通路（51,52）と、リード弁で構成されて該吐出通路（51,52）を開閉する吐出弁（21）とが設けられ、上記吐出弁は、上記凹部（25）の底面に前面が当接する板状の弁体（18）と、該弁体（18）の変形量を制限する弁押さえ（16）とを備え、上記弁押さえ（16）は、上記弁体（18）の背面に当接可能な本体部（17）と、該本体部（17）と一体に形成されて上記鏡板部（37）の背面に沿って上記凹部（25）の外側へ延びる固定部（19a）とを備え、該固定部（19a）を上記鏡板部（37）に固定することで該鏡板部（37）に取り付けられている。
【００１１】
第３の発明では、弁体（18）の変形量を制限する弁押さえ（16）が、弁体（18）の背面に当接可能な本体部（17）と、凹部（25）の外側へ延びる固定部（19a）とを備えている。弁押さえ（16）は、その固定部（19a）が鏡板部（37）の凹部（25）の外側に固定された状態で、該鏡板部（37）に取り付けられる。従って、この第３の発明では、弁押さえ（16）を固定するためのスペースを凹部（25）内に確保する必要がない。
【００１２】
第４の発明は、環状のシリンダ室（41,42）を有するシリンダ（40）と、該シリンダ（40）に対して偏心してシリンダ室（41,42）に収納され、シリンダ室（41,42）を外側シリンダ室（41）と内側シリンダ室（42）とに区画する環状ピストン（45）と、上記シリンダ室（41,42）に配置され、各シリンダ室（41,42）を第１室（41a,42a）と第２室（41b,42b）とに区画するブレード（46）と、該シリンダ（40）又は該環状ピストン（45）の一端部に形成されて前面が上記シリンダ室（41,42）に面する鏡板部（37）とを備え、上記シリンダ（40）と上記環状ピストン（45）とが相対的に偏心回転運動することによって上記シリンダ室（41,42）内の流体を圧縮する回転式圧縮機を対象とする。そして、上記鏡板部（37）には、背面側に凹部（25）が形成されると共に、上記シリンダ室（41,42）に連通して該凹部（25）の底面に開口する吐出通路（51,52）と、リード弁で構成されて該吐出通路（51,52）を開閉する吐出弁（21）とが設けられ、上記吐出弁は、上記凹部（25）の底面に前面が当接する板状の弁体（18）と、該弁体（18）の変形量を制限する弁押さえ（16）とを備え、上記弁押さえ（16）は、上記弁体（18）の背面に当接可能で且つ、基端側に凹部（25）の壁面に当接可能な当接面が形成された本体部（17）と、該本体部（17）と一体に形成されて上記鏡板部（37）の背面に沿って上記凹部（25）の外側へ延びる固定部（19a）とを備え、上記本体部（17）の当接面が凹部（25）の壁面に当接するように該固定部（19a）を上記鏡板部（37）に固定することで該鏡板部（37）に取り付けられている。
【００１３】
第５の発明は、第１乃至第４の何れか１つの発明において、上記吐出弁（21）が、上記弁体（18）の基端側を貫通して該弁体（18）の移動を制限するピン部材（24）を備えている。
【００１４】
第５の発明では、基端側を貫通するピン部材（24）によって弁体（18）の移動が制限されている。弁体（18）は、ピン部材（24）によって基端側の移動が制限された状態で、先端側が吐出通路（51,52）を開閉する。
【００１５】
第６の発明は、第５の発明において、上記弁押さえ（16）と上記凹部（25）の底面との間には、上記弁体（18）の基端側が上記ピン部材（24）の軸方向へ移動するのを許容するための隙間が形成されている。
【００１６】
第６の発明では、弁押さえ（16）と凹部（25）の底面との間に隙間が形成されて、弁体（18）がピン部材（24）の軸方向に移動可能になっている。すなわち、弁体（18）がピン部材（24）の軸方向へ移動することによって、吐出通路（51,52）の出口が開くようになっている。従って、流体が吐出通路（51,52）から吐出される際の弁体（18）の変形量が少なくてすむ。
【００１７】
第７の発明は、第１乃至第５の発明の何れか１つにおいて、上記弁体（18）の基端側が、上記弁押さえ（16）と上記凹部（25）の底面とに挟み込まれている。
【００１８】
第７の発明では、弁押さえ（16）と凹部（25）の底面とによって弁体（18）の基端部が挟み込まれて、弁体（18）が鏡板部（37）に固定される。つまり、弁押さえ（16）と凹部（25）の底面とを利用して、弁体（18）が鏡板部（37）に固定される。
【００１９】
第８の発明は、第１乃至第４の何れか１つの発明において、上記弁体（18）は、その基端側が背面側へ折り曲げられて、上記弁押さえ（16）と上記凹部（25）の壁面とに挟み込まれている。
【００２０】
第８の発明では、弁体（18）の先端側が凹部（25）の底面に当接し、折り曲げられた基端側が凹部（25）の壁面に当接している。弁体（18）は、この状態でその基端側が弁押さえ（16）と凹部（25）の壁面とに挟み込まれて固定されている。この第８の発明では、弁体（18）の先端側が当接する面と、弁体（18）の基端側が固定される面とが同一面内になっていない。従って、弁体（18）の先端側が当接する凹部（25）の底面の面上における弁体（18）の移動が制限され、弁体（18）の回転が防止される。
【００２１】
第９の発明は、第１乃至第８の発明の何れか１つにおいて、冷凍サイクルを行う冷凍装置の冷媒回路に設けられ、該冷媒回路に冷媒として充填された二酸化炭素を圧縮する。
【００２２】
第９の発明では、回転式圧縮機（10）が圧縮室（41,42）又はシリンダ室（41,42）で二酸化炭素を圧縮する。ここで、冷媒として二酸化炭素を用いる冷凍サイクルでは、圧縮室（41,42）又はシリンダ室（41,42）に吸入される低圧冷媒と該圧縮室（41,42）又はシリンダ室（41,42）から吐出される高圧冷媒との圧力差が大きくなる。このため、この第９の発明では、冷媒を圧縮する過程で圧縮室（41,42）又はシリンダ室（41,42）が低圧状態の時に、圧縮室（41,42）又はシリンダ室（41,42）側と吐出空間側と間で生じる圧力差が、一般的なフロン冷媒を用いる場合に比べて大きくなる。
【発明の効果】
【００２３】
本発明では、弁押さえ（16）の固定部（19a）が凹部（25）の外側へ延びるように設けられるので、その固定部（19a）を鏡板部（37）の凹部（25）の外側に固定することで弁押さえ（16）が該鏡板部（37）に取り付けられる。これによって、凹部（25）内に弁押さえ（16）を固定するためのスペースを確保する必要がなくなり、周囲に比べて強度が弱い凹部（25）の面積を小さくすることができる。従って、圧縮室（41,42）で流体を圧縮する過程で発生する鏡板部（37）の変形を低減させることができ、鏡板部（37）の変形に伴う圧縮室（41,42）からの冷媒漏れを低減させることができる。よって、この発明の回転式圧縮機（10）では圧縮効率を向上させることができる。
【００２４】
また、上記第６の発明では、弁体（18）をピン部材（24）の軸方向に移動可能にすることで、弁体（18）がピン部材（24）の軸方向へ移動することによって吐出通路（51,52）の出口が開くようになっている。従って、流体が吐出通路（51,52）から吐出される際の弁体（18）の変形量が少なくてすむので、その際の吐出圧力損失を減少させることができる。よって、流体が吐出通路（51,52）から吐出される際の過圧縮損失を低減させることができるので、この発明の回転式圧縮機（10）では圧縮効率をさらに向上させることができる。
【００２５】
また、上記第７の発明では、弁体（18）を固定するために、弁押さえ（16）と凹部（25）の底面とを利用している。従って、弁体（18）の固定するための手段を設ける必要がないので、吐出弁（21）の構成を簡素化することができる。
【００２６】
また、上記第８の発明では、背面側へ折り曲げられた弁体（18）の基端側を弁押さえ（16）と凹部（25）の壁面とで挟み込むことによって、弁体（18）の回転を防止するようにしている。この第８の発明よれば、弁体（18）の回転を防止するための手段を設けなくても、弁体（18）の基端側を折り曲げてその折り曲げた部分を凹部（25）の壁面側に固定するだけで弁体（18）の回転を防止している。従って、弁体（18）の回転を防止するための手段を設ける必要がないので、吐出弁（21）の構成を簡素化することができる。
【００２７】
また、上記第９の発明では、冷媒としての二酸化炭素を圧縮する過程で圧縮室（41,42）又はシリンダ室（41,42）が低圧状態の時に、圧縮室（41,42）又はシリンダ室（41,42）側と吐出空間側と間で生じる圧力差が、一般的なフロン冷媒を用いる場合に比べて大きくなる。ここで、従来は、鏡板部（37）において凹部（25）が占める面積が比較的大きいので、冷媒として二酸化炭素を用いる冷媒回路に回転式圧縮機（10）を設けると、鏡板部（37）を挟む上記圧力差によって鏡板部（37）の変形量が大きくなる傾向があった。それに対して、本発明の回転式圧縮機（10）によれば凹部（25）の面積が小さくなるので、鏡板部（37）の剛性が向上する。従って、本発明の回転式圧縮機（10）は、冷媒として二酸化炭素を用いる冷媒回路に設ける場合に特に有効である。
【発明を実施するための最良の形態】
【００２８】
以下、本発明の実施形態を図面に基づいて詳細に説明する。
【００２９】
《発明の実施形態１》
本発明の実施形態１ついて説明する。実施形態１の圧縮機（10）の縦断面図を図１に示す。この圧縮機（10）は、後述する環状ピストン（45）とシリンダ（40）とが相対的に偏心回転運動することによってシリンダ室（41,42）内の冷媒を圧縮する回転式圧縮機（10）である。この回転式圧縮機（10）は、冷媒として二酸化炭素が充填されて蒸気圧縮冷凍サイクルを行う冷凍装置の冷媒回路に設けられている。この回転式圧縮機（10）は、蒸発器から吸入した冷媒を圧縮して凝縮器へ吐出する。この冷媒回路では、冷凍サイクルの高圧が二酸化炭素の臨界圧力以上になる。なお、この回転式圧縮機（10）を二酸化炭素以外の冷媒を用いる冷媒回路に設けてもよい。
【００３０】
圧縮機（10）は、縦長で円筒形の密閉容器であるケーシング（15）を備えている。このケーシング（15）の内部には、下寄りの位置に圧縮機構（20）が配置され、上寄りの位置に電動機（30）が配置されている。
【００３１】
ケーシング（15）には、その胴部を貫通する吸入管（14）が設けられている。吸入管（14）は、圧縮機構（20）に接続されている。また、ケーシング（15）には、その上部を貫通する吐出管（13）が設けられている。吐出管（13）は、その入口が電動機（30）の上側の空間に開口している。
【００３２】
ケーシング（15）の内部には、上下方向に延びるクランク軸（33）が設けられている。このクランク軸（33）は、主軸部（33a）と偏心部（33b）とを備えている。偏心部（33b）は、クランク軸（33）の下寄りの位置に設けられ、主軸部（33a）よりも大径の円柱状に形成されている。この偏心部（33b）は、その軸心が主軸部（33a）の軸心から所定量だけ偏心している。
【００３３】
圧縮機構（20）は、偏心運動する可動部材（38）と、その可動部材（38）と共に後述する圧縮室（41,42）を形成する固定部材（39）とを備えている。可動部材（38）は、シリンダ（40）とブレード（46）とを備えている。シリンダ（40）とブレード（46）とは、一体に形成されている。固定部材（39）は、環状ピストン（45）と、鏡板部である円板状の下部ハウジング（37）と、円板状の上部ハウジング（36）とを備えている。環状ピストン（45）と下部ハウジング（37）とは、一体に形成されている。圧縮機構（20）は、シリンダ（40）が上部ハウジング（36）と下部ハウジング（37）とに挟み込まれて一体となり、上部ハウジング（36）の外周部でケーシング（15）に固定されている。
【００３４】
シリンダ（40）は、外側シリンダ（40a）と内側シリンダ（40b）とを備えている。外側シリンダ（40a）と内側シリンダ（40b）とは、上部が連結部材（47）で連結されて一体になっている。連結部材（47）は、環状ピストン（45）の一端部（上側）に形成され、後述するシリンダ室（41,42）に面している。
【００３５】
図２に示すように、外側シリンダ（40a）と内側シリンダ（40b）とは、共に円環状に形成されている。外側シリンダ（40a）の内周面と内側シリンダ（40b）の外周面とは、互いに同一中心上に配置された円筒面になっている。外側シリンダ（40a）の内周面と内側シリンダ（40b）の外周面との間には、環状のシリンダ室（41,42）が形成されている。
【００３６】
環状ピストン（45）は、円環の一部分が分断されたＣ型形状に形成されている。環状ピストン（45）は、外周面が外側シリンダ（40a）の内周面よりも小径で、内周面が内側シリンダ（40b）の外周面よりも大径に形成されている。環状ピストン（45）は、シリンダ（40）に対して偏心した状態でシリンダ室（41,42）内に収納されている。これにより、環状ピストン（45）がシリンダ室（41,42）を内側と外側とに区画している。環状ピストン（45）の外周面と外側シリンダ（40a）の内周面との間には、圧縮室である外側シリンダ室（41）が形成され、環状ピストン（45）の内周面と内側シリンダ（40b）の外周面との間には、圧縮室である内側シリンダ室（42）が形成されている。
【００３７】
環状ピストン（45）とシリンダ（40）とは、環状ピストン（45）の外周面と外側シリンダ（40a）の内周面とが１点で実質的に接する状態（厳密にはミクロンオーダーの隙間があるが、その隙間での冷媒の漏れが問題にならない状態）において、その接点と位相が１８０°異なる位置で、環状ピストン（45）の内周面と内側シリンダ（40b）の外周面とが１点で実質的に接するようになっている。
【００３８】
内側シリンダ（40b）の内周面には、クランク軸（33）の偏心部（33b）が摺動自在に嵌め込まれている。本実施形態１の回転式圧縮機（10）では、可動部材（38）を構成するシリンダ（40）が偏心回転運動を行うことで、固定部材（39）を構成する環状ピストン（45）とシリンダ（40）とが相対的に回転するように構成されている。
【００３９】
ブレード（46）は、環状ピストン（45）の分断箇所を挿通して、外側シリンダ（40a）の内周面から内側シリンダ（40b）の外周面までシリンダ室（41,42）の径方向に延びるように構成されている。ブレード（46）は、外側シリンダ（40a）の内周面と内側シリンダ（40b）の外周面とに固定されている。これによって、ブレード（46）は、上記各シリンダ室（41,42）を第１室である高圧室（41a,42a）と第２室である低圧室（41b,42b）とに区画している。
【００４０】
圧縮機構（20）には、環状ピストン（45）の分断部（円環の一部分が抜き取られたＣ型形状の開口部）において、環状ピストン（45）とブレード（46）とを相互に可動に連結する揺動ブッシュ（27）が設けられている。揺動ブッシュ（27）は、ブレード（46）に対して高圧室（41a,42a）側に位置する吐出側ブッシュ（27a）と、ブレード（46）に対して低圧室（41b,42b）側に位置する吸入側ブッシュ（27b）とから構成されている。吐出側ブッシュ（27a）と吸入側ブッシュ（27b）とは、いずれも断面形状が略半円形で同一形状に形成され、フラット面同士が対向するように配置されている。そして、両ブッシュ（27a，27b）の対向するフラット面の間のスペースがブレード溝（28）を構成している。
【００４１】
このブレード溝（28）には、ブレード（46）が挿入されている。揺動ブッシュ（27a,27b）のフラット面（ブレード溝（28）の両側面）は、ブレード（46）と実質的に面接触している。揺動ブッシュ（27a,27b）の円弧状の外周面は、環状ピストン（45）と実質的に面接触している。揺動ブッシュ（27a,27b）は、ブレード溝（28）にブレード（46）を挟んだ状態で、ブレード（46）がその面方向にブレード溝（28）内を進退するように構成されている。同時に、揺動ブッシュ（27a，27b）は、環状ピストン（45）に対してブレード（46）と一体的に揺動するように構成されている。従って、揺動ブッシュ（27）は、該揺動ブッシュ（27）の中心点を揺動中心としてブレード（46）と環状ピストン（45）とが相対的に揺動可能となり、かつブレード（46）が環状ピストン（45）に対して該ブレード（46）の面方向へ進退可能となるように構成されている。
【００４２】
なお、この実施形態１では両ブッシュ（27a，27b）を別体とした例について説明したが、両ブッシュ（27a，27b）は、一部で連結することにより一体構造としてもよい。
【００４３】
上部ハウジング（36）と下部ハウジング（37）とには滑り軸受けである軸受部（36a,37a）がそれぞれ形成されている。クランク軸（33）は、その軸受部（36a,37a）に回転自在に支持されている。本実施形態１の回転式圧縮機（10）では、クランク軸（33）が圧縮機構（20）を上下方向に貫通している。クランク軸（33）は、上部ハウジング（36）と下部ハウジング（37）とを介してケーシング（15）に保持されている。
【００４４】
下部ハウジング（37）は、シリンダ（40）の一端部（下側）に形成され、前面（図１において上面）がシリンダ室（41,42）に面している。また、下部ハウジング（37）の下側には、マフラー（23）が取り付けられている。下部ハウジング（37）とマフラー（23）との間には、吐出空間（53）が形成されている。また、上部ハウジング（36）と下部ハウジング（37）との外縁部には、吐出空間（53）と圧縮機構（20）の上側の空間とを連通する接続通路（57）が形成されている。
【００４５】
電動機（30）は、ステータ（31）とロータ（32）とを備えている。ステータ（31）は、ケーシング（15）の胴部の内壁に固定されている。ロータ（32）は、ステータ（31）の内側に配置されてクランク軸（33）の主軸部（33a）と連結されており、クランク軸（33）がロータ（32）とともに回転するように構成されている。
【００４６】
クランク軸（33）の下端部には、給油ポンプ（34）が設けられている。この給油ポンプ（34）は、クランク軸（33）の軸心に沿って延びて圧縮機構（20）と連通する給油路（図示省略）と接続されている。そして、給油ポンプ（34）は、ケーシング（15）内の底部に貯留された潤滑油を給油路を通じて圧縮機構（20）の摺動部に供給するように構成されている。
【００４７】
以上の構成において、クランク軸（33）が回転すると、外側シリンダ（40a）及び内側シリンダ（40b）は、ブレード溝（28）の方向（シリンダ室（41,42）の径方向）に進退しながら、揺動ブッシュ（27）の中心点を揺動中心として揺動する。この揺動動作により、シリンダ（40）は、クランク軸（33）に対して偏心しながら回転（公転）運動する（図５(Ａ)から(Ｄ)参照）。
【００４８】
また、外側シリンダ（40a）の外側には、吸入空間（6）が形成されている（図１参照）。ケーシング（15）の胴部を貫通する吸入管（14）の出口端は、吸入空間（6）に開口している。また、下部ハウジング（37）には、シリンダ（40）の径方向に延びる吸入通路（7）が形成されている。この吸入通路（7）は、内側シリンダ室（42）から吸入空間（6）に跨って、長穴状に形成されている。吸入通路（7）は、シリンダ室（41,42）の低圧室（41b,42b）と吸入空間（6）とを連通している。また、外側シリンダ（40a）には、吸入空間（6）と外側シリンダ室（41）の低圧室（41b）とを連通する貫通孔（43）が形成され、環状ピストン（45）には、外側シリンダ室（41）の低圧室（41b）と内側シリンダ室（42）の低圧室（42b）とを連通する貫通孔（44）が形成されている。
【００４９】
図３に示すように、下部ハウジング（37）の背面（吐出空間（53）側の面）には、凹部（25）が形成されている。下部ハウジング（37）の凹部（25）の底面部分の厚みは、その周囲に比べて薄くなっている。図４に示すように、凹部（25）は、略長方形状の窪みで、下部ハウジング（37）の中心と外周との真ん中付近に形成されている。
【００５０】
下部ハウジング（37）には、シリンダ室（41,42）に連通して凹部（25）の底面に開口する外側吐出通路（51）及び内側吐出通路（52）が設けられている。外側吐出通路（51）と内側吐出通路（52）とは、凹部（25）の長手方向の一端側（図４において右側）で凹部（25）の短手方向に並んで設けられている。外側吐出通路（51）の入口端は外側シリンダ室（41）の高圧室（41a）に開口し、内側吐出通路（52）の入口端は内側シリンダ室（42）の高圧室（42a）に開口している。この両吐出通路（51,52）は、シリンダ室（41,42）の高圧室（41a,42a）と吐出空間（53）とを接続している。
【００５１】
凹部（25）には、第１弁体（18a）と第２弁体（18b）とが設けられている。この両弁体（18a,18b）は、共に細長い板状で、その先端が吐出通路（51,52）の出口よりもひと回り大きい円形になっている。第１弁体（18a）と第２弁体（18b）とは、その長手方向が共に凹部（25）の長手方向と一致し、その前面が該凹部（25）の底面に当接するように配置されている。第１弁体（18a）は、先端部の前面が弁座面である外側吐出通路（51）の出口の周囲に当接するように配置されている。第２弁体（18b）は、先端部の前面が弁座面である内側吐出通路（52）の出口の周囲に当接するように配置されている。
【００５２】
下部ハウジング（37）には、基部（19）と第１本体部（17a）と第２本体部（17b）とからなる弁押さえ（16）が設けられている。弁押さえ（16）は、基部（19）の側面から同じ方向へ２つの本体部（17a,17b）が離れた状態で延びるように形成され、平面視でコ字状になっている。本体部（17）は、上面が湾曲して先端にゆくほど厚みが減少するように形成され、弁体（18）の背面側に設けられてその上面が弁押さえ面になっている。この弁押さえ（16）と上記弁体（18）とは、それぞれ本発明に係る吐出弁（21）を構成している。吐出弁（21）は、リード弁であって、弁体（18）が弾性変形することにより吐出通路（51,52）を開閉するように構成されている。
【００５３】
弁押さえ（16）の基部（19）は、本体部（17）側が厚肉に形成され、逆側が薄肉に形成されている。基部（19）の薄肉の部分にはボルト（22）を通すための貫通孔が１つ形成されている。この基部（19）の薄肉の部分は、弁押さえ（16）を下部ハウジング（37）に取り付けるための固定部（19a）となっている。基部（19）の下面は、平らに形成され本体部（17）の下面と面一になっている。基部（19）の上面は、本体部（17）の上面と連続しているが、厚肉の部分と薄肉の固定部（19a）との境界に段差が形成されている。
【００５４】
弁押さえ（16）は、その固定部（19a）が凹部（25）の外周部にボルト（22）によって固定された状態で、下部ハウジング（37）に取り付けられている。弁押さえ（16）は、その基部（19）の段差面が凹部（25）の吐出通路（51,52）が設けられている方と逆側（図４において左側）の壁面に当接し、その固定部（19a）の上面が下部ハウジング（37）の背面（下面）に当接している。固定部（19a）は、下部ハウジング（37）の背面に沿って凹部（25）の外側に延びている。
【００５５】
凹部（25）の底面と弁押さえ（16）との間には、弁体（18）の厚み以上の隙間が形成されている。つまり、弁体（18）が凹部（25）の底面に密着した状態において、弁体（18）と弁押さえ（16）との間には隙間が形成される。この隙間は、弁体（18）の先端側ほど大きくなっている。
【００５６】
また、吐出弁（21）には、第１弁体（18a）の基端部と第２弁体（18b）の基端部とを貫通するピン部材（24,24）が設けられている。ピン部材（24）は、１つの弁体（18a,18b）に対して２本設けられている。ピン部材（24）は、一端部が弁押さえ（16）の基部（19）の厚肉の部分に嵌め込まれ、他端部が凹部（25）の底面に嵌め込まれている。これにより、第１弁体（18a）と第２弁体（18b）とは、ピン部材（24）の軸方向に可動となる一方で、その回転が防止される。
【００５７】
−運転動作−
次に、この回転式圧縮機（10）の運転動作について図５を参照しながら説明する。
【００５８】
電動機（30）を起動すると、ロータ（32）の回転がクランク軸（33）を介して圧縮機構（20）の外側シリンダ（40a）及び内側シリンダ（40b）に伝達される。その結果、ブレード（46）が揺動ブッシュ（27a,27b）の間で往復運動（進退動作）を行い、かつ、ブレード（46）と揺動ブッシュ（27a,27b）が一体的となって、環状ピストン（45）に対して揺動動作を行う。そして、外側シリンダ（40a）及び内側シリンダ（40b）が環状ピストン（45）に対して揺動しながら公転し、圧縮機構（20）が所定の圧縮動作を行う。
【００５９】
ここで、外側シリンダ室（41）においては、図５(Ｄ）の状態（低圧室（41b）がほぼ最小容積となる状態）からシリンダ（40）が図の右回りに公転することで、吸入通路（7）から低圧室（41b）に冷媒（二酸化炭素）が吸入される。同時に、冷媒は、吸入空間（6）から貫通孔（43）を介して低圧室（41b）に吸入される。そして、シリンダ（40）が図５の(Ａ)、(Ｂ)、(Ｃ)の順に公転して再び図５の(Ｄ)の状態になると、上記低圧室（41b）への冷媒の吸入が完了する。
【００６０】
ここで、この低圧室（41b）は、冷媒が圧縮される高圧室（41a）となる一方、ブレード（46）を隔てて新たな低圧室（41b）が形成される。この状態でシリンダ（40）がさらに回転すると、新たに形成された低圧室（41b）において冷媒の吸入が繰り返される一方、高圧室（41a）の容積が減少し、該高圧室（41a）で冷媒が圧縮される。そして、高圧室（41a）の圧力が第１弁体（18a）に作用する背圧を上回ると、第１弁体（18a）が弁押さえ（16）側へ変形すると共にその弁押さえ（16）側へ移動して、その先端部が弁座面である外側吐出通路（51）の出口の周囲から離れる。これによって、外側シリンダ室（41）内で圧縮された高圧冷媒が、外側吐出通路（51）を通過して、吐出空間（53）へ吐出される。
【００６１】
内側シリンダ室（42）においては、図５(Ｂ)の状態（低圧室（42b）の容積がほぼ最小となる状態）からシリンダ（40）が図の右回りに公転することで、吸入通路（7）から低圧室（42b）に冷媒が吸入される。同時に、冷媒は、吸入空間（6）から貫通孔（44）を介して低圧室（42b）に吸入される。そして、シリンダ（40）が図５の(Ｃ)、(Ｄ)、(Ａ)の順に公転して再び図５の(Ｂ)の状態になると、上記低圧室（42b）への冷媒の吸入が完了する。
【００６２】
ここで、この低圧室（42b）は、冷媒が圧縮される高圧室（42a）となる一方、ブレード（46）を隔てて新たな低圧室（42b）が形成される。この状態でシリンダ（40）がさらに回転すると、新たに形成された低圧室（42b）において冷媒の吸入が繰り返される一方、高圧室（42a）の容積が減少し、該高圧室（42a）で冷媒が圧縮される。そして、高圧室（42a）の圧力が第２弁体（18b）に作用する背圧を上回ると、第２弁体（18b）が弁押さえ（16）側へ変形すると共にその弁押さえ（16）側へ移動して、その先端部が弁座面である内側吐出通路（52）の出口の周囲から離れる。これによって、内側シリンダ室（42）内で圧縮された高圧冷媒が、内側吐出通路（52）を通過して、吐出空間（53）へ吐出される。
【００６３】
吐出空間（53）へ吐出された冷媒は、接続通路（57）を流通して圧縮機構（20）の上側の空間へ流入し、電動機（30）の周囲に形成される隙間を流通して吐出管（13）から吐出される。
【００６４】
なお、弁体（18）の移動量及び変形量は、弁押さえ（16）によって制限されている。また、高圧室（41a,42a）の圧力が低圧状態になると、弁体（18）の先端部は、吐出空間（53）と高圧室（41a,42a）との圧力差によって凹部（25）の底面側へ吸い寄せられる。これによって、弁体（18）の先端部が吐出通路（51,52）の弁座面に再び密着し、その吐出通路（51,52）の出口が閉まる。
【００６５】
−実施形態１の効果−
この実施形態１では、弁押さえ（16）の固定部（19a）が凹部（25）の外側へ延びるように設けられるので、その固定部（19a）を下部ハウジング（37）の凹部（25）の外側に固定することで弁押さえ（16）が該下部ハウジング（37）に取り付けられる。これによって、凹部（25）内に弁押さえ（16）を固定するためのスペースを確保する必要がなくなり、周囲に比べて強度が弱い凹部（25）の面積を小さくすることができる。従って、シリンダ室（41,42）で冷媒を圧縮する過程で発生する下部ハウジング（37）の変形を低減させることができ、下部ハウジング（37）の変形に伴うシリンダ室（41,42）からの冷媒漏れを低減させる。よって、この実施形態１の回転式圧縮機（10）では圧縮効率を向上させることができる。
【００６６】
また、この実施形態１では、弁体（18）の基端部を２本のピン部材（24,24）が貫通している。２本のピン部材（24,24）は、両端がそれぞれ弁押さえ（16）と凹部（25）の底面とに嵌め込まれている。これによって、弁体（18）の移動は制限され、弁体（18）の回転を防止することができる。
【００６７】
また、この実施形態１では、弁押さえ（16）と凹部（25）の底面との間に隙間が形成されて、弁体（18）がピン部材（24）の軸方向に移動可能になっている。つまり、弁体（18）がピン部材（24）の軸方向へ移動することによって吐出通路（51,52）の出口が開くようになっている。従って、冷媒が吐出通路（51,52）から吐出される際の弁体（18）の変形量が少なくてすむので、その際の吐出圧力損失を減少させることができる。よって、冷媒が吐出通路（51,52）から吐出される際の過圧縮損失を低減させることができるので、この実施形態１の回転式圧縮機（10）では圧縮効率をさらに向上させることができる。
【００６８】
また、この実施形態１では、冷媒としての二酸化炭素を用いる冷媒回路に回転式圧縮機（10）が設けられているので、冷媒を圧縮する過程でシリンダ室（41,42）が低圧状態の時に、シリンダ室（41,42）側と吐出空間側と間で生じる圧力差が、一般的なフロン冷媒を用いる場合に比べて大きくなる。ここで、従来は、下部ハウジング（37）において凹部（25）が占める面積が比較的大きいので、冷媒として二酸化炭素を用いる冷媒回路に回転式圧縮機（10）を設けると、下部ハウジング（37）を挟む上記圧力差によって下部ハウジング（37）の変形量が大きくなる傾向があった。それに対して、本実施形態１の回転式圧縮機（10）によれば凹部（25）の面積が小さくなるので、下部ハウジング（37）の剛性が向上する。従って、本実施形態１の回転式圧縮機（10）は、冷媒として二酸化炭素を用いる冷媒回路に設ける場合に特に有効である。
【００６９】
また、この実施形態１では、弁押さえ（16）の本体部（17）が比較的厚肉になっているので、本体部（17）の側面と凹部（25）の壁面との間や第１本体部（17a）の側面と第２本体部（17b）の側面の間の冷媒流路の長さが長くなっている。ここで、冷媒として二酸化炭素を用いる場合は、一般的なフロン冷媒に比べて冷媒の流量当たりの冷凍能力が大きいので、同じ冷凍能力で比較するとシリンダ室（41,42）から吐出される冷媒の流速が小さい。従って、冷媒として二酸化炭素を用いる場合は、この冷媒流路を通過する冷媒の圧力損失が小さくなる。
【００７０】
《発明の実施形態２》
本発明の実施形態２ついて説明する。実施形態２の圧縮機（10）の縦断面図を図６に示す。この圧縮機（10）は、後述する可動スクロール（40）が固定スクロール（45）に対して公転運動することによって圧縮室（41）内の冷媒を圧縮するスクロール型の回転式圧縮機（10）である。この圧縮機（10）は、上記実施形態１と同様に、冷媒として二酸化炭素が充填されて蒸気圧縮冷凍サイクルを行う冷凍装置の冷媒回路に設けられている。
【００７１】
圧縮機（10）は、縦長で円筒形の密閉容器であるケーシング（15）を備えている。このケーシング（15）の内部には、上寄りの位置に圧縮機構（20）が配置され、下寄りの位置に電動機（30）が配置されている。
【００７２】
ケーシング（15）には、その上部を貫通する吸入管（14）が設けられている。吸入管（14）は、圧縮機構（20）に接続されている。また、ケーシング（15）には、その胴部を貫通する吐出管（13）が設けられている。吐出管（13）は、その入口が圧縮機構（20）と電動機（30）との間の空間に開口している。
【００７３】
ケーシング（15）の内部には、上下方向に延びるクランク軸（33）が設けられている。このクランク軸（33）は、主軸部（33a）と偏心部（33b）とを備えている。主軸部（33a）は、その上端部がやや大径に形成されている。偏心部（33b）は、主軸部（33a）よりも小径の円柱状に形成され、主軸部（33a）の上端面に立設されている。この偏心部（33b）は、その軸心が主軸部（33a）の軸心から所定量だけ偏心している。
【００７４】
電動機（30）の下側には、ケーシング（15）の胴部の下端部に固定される下部軸受部材（12）が設けられている。下部軸受部材（12）の中心部には滑り軸受けが形成されており、この滑り軸受けは主軸部（33a）の下端部を回転自在に支持している。
【００７５】
電動機（30）は、ステータ（31）とロータ（32）とを備えている。ステータ（31）は、ケーシング（15）の胴部の内壁に固定されている。ロータ（32）は、ステータ（31）の内側に配置されてクランク軸（33）の主軸部（33a）と連結されており、クランク軸（33）がロータ（32）とともに回転するように構成されている。
【００７６】
圧縮機構（20）は、偏心運動する可動部材である可動スクロール（38）と、その可動スクロール（38）と共に後述する圧縮室（41,42）を形成する固定部材である固定スクロール（39）と、ハウジング（11）とを備えている。ハウジング（11）は、その中央部が窪んだ比較的厚肉の円板状に形成されており、その外周部がケーシング（15）の胴部の上端部と接合されている。また、ハウジング（11）の中央部には、クランク軸（33）の主軸部（33a）が挿通されている。このハウジング（11）は、クランク軸（33）の主軸部（33a）を回転自在に支持する軸受けを構成している。
【００７７】
可動スクロール（38）は、円板状の鏡板部（56）と、その鏡板部（56）の前面側（図６において上面側）に立設された渦巻き壁状の可動側ラップ（48）と、その鏡板部（56）の背面側（図６において下面側）に突出した円筒状の突出部（35）とを備えている。この可動スクロール（38）は、図外のオルダムリングを介してハウジング（11）の上面に載置されている。また、可動スクロール（38）の突出部（35）には、クランク軸（33）の偏心部（33b）が挿入されている。つまり、可動スクロール（38）は、クランク軸（33）に係合されている。
【００７８】
固定スクロール（39）は、円板状の鏡板部（37）と、その鏡板部（37）の前面側（図６において下面側）に立設された渦巻き壁状の固定側ラップ（49）と、その鏡板部（37）の外周から外側に連続して形成された比較的厚肉の外周部（29）とを備えている。
【００７９】
図７に示すように、圧縮機構（20）では、固定スクロール（39）の固定側ラップ（49）と、可動スクロール（38）の可動側ラップ（48）とが噛み合わされている。そして、固定側ラップ（49）と可動側ラップ（48）とが互いに噛み合うことによって、複数の圧縮室（41）が形成される。
【００８０】
図８に示すように、固定スクロール（39）の鏡板部（37）の背面（図８において上面）には、凹部（25）が形成されている。鏡板部（37）の凹部（25）の底面部分の厚みは、その周囲に比べて薄くなっている。凹部（25）は、略長方形状の窪みで、鏡板部（37）の中心付近に形成されている。
【００８１】
鏡板部（37）には、圧縮室（41）に連通して凹部（25）の底面に開口する吐出通路（51）が設けられている。吐出通路（51）は、凹部（25）の長手方向の一端側（図８において左側）に設けられている。吐出通路（51）は、圧縮室（41）と圧縮機構（20）の上側の空間とを接続している。
【００８２】
凹部（25）には、弁体（18）が設けられている。この弁体（18）は、細長い板状で、その先端が吐出通路（51）の出口よりもひと回り大きい円形になっている。弁体（18）は、その長手方向が凹部（25）の長手方向と一致し、その前面が該凹部（25）の底面に当接するように配置されている。弁体（18）は、先端部の前面が弁座面である吐出通路（51）の出口の周囲に当接するように配置されている。
【００８３】
鏡板部（37）には、基部（19）と本体部（17）とからなる弁押さえ（16）が設けられている。本体部（17）は、下面が湾曲して先端にゆくほど厚みが減少するように形成され、弁体（18）の背面側に設けられてその下面が弁押さえ面になっている。この弁押さえ（16）と上記弁体（18）とは、それぞれ本発明に係る吐出弁（21）を構成している。吐出弁（21）は、リード弁であって、弁体（18）が弾性変形することにより吐出通路（51）を開閉するように構成されている。
【００８４】
弁押さえ（16）の基部（19）は、本体部（17）側が厚肉に形成され、逆側が薄肉に形成されている。基部（19）の薄肉の部分にはボルト（22）を通すための貫通孔が１つ形成されている。この基部（19）の薄肉の部分は、弁押さえ（16）を鏡板部（37）に取り付けるための固定部（19a）となっている。基部（19）の上面は、平らに形成され本体部（17）の上面と面一になっている。基部（19）の下面は、本体部（17）の下面と連続しているが、厚肉の部分と薄肉の固定部（19a）との境界に段差が形成されている。
【００８５】
弁押さえ（16）は、その固定部（19a）が凹部（25）の外周部にボルト（22）によって固定された状態で、鏡板部（37）に取り付けられている。弁押さえ（16）は、その基部（19）の段差面が凹部（25）の吐出通路（51）が設けられている方と逆側（図８において右側）の壁面に当接し、その固定部（19a）の下面が鏡板部（37）の背面（上面）に当接している。固定部（19a）は、鏡板部（37）の背面に沿って凹部（25）の外側に延びている。
【００８６】
凹部（25）の底面と弁押さえ（16）との間には、弁体（18）の厚み以上の隙間が形成されている。つまり、弁体（18）が凹部（25）の底面に密着した状態において、弁体（18）と弁押さえ（16）との間には隙間が形成される。この隙間は、弁体（18）の先端側ほど大きくなっている。
【００８７】
また、吐出弁（21）には、弁体（18）の基端部を貫通するピン部材（24,24）が２本設けられている。ピン部材（24）は、一端部が弁押さえ（16）の基部（19）の厚肉の部分に嵌め込まれ、他端部が凹部（25）の底面に嵌め込まれている。これにより、弁体（18）は、ピン部材（24）の軸方向に可動となる一方で、その回転が防止される。
【００８８】
−運転動作−
次に、このスクロール型の回転式圧縮機（10）の運転動作について説明する。
【００８９】
電動機（30）を起動すると、ロータ（32）の回転がクランク軸（33）を介して圧縮機構（20）の可動スクロール（38）に伝達される。クランク軸（33）の偏心部（33b）と係合する可動スクロール（38）は、オルダムリングによって案内され、自転することなく公転運動だけを行う。
【００９０】
可動スクロール（38）が公転運動を行うと、低圧のガス冷媒が吸入管（14）を通って可動側ラップ（48）及び固定側ラップ（49）の外周側から圧縮室（41）へ流入する。さらに、可動スクロール（38）が公転運動すると、圧縮室（41）に閉じ込められたガス冷媒が圧縮機構（20）の内側へ徐々に移動し、それに伴い圧縮室（41）の容積が減少してガス冷媒が圧縮されてゆく。そして、圧縮されたガス冷媒が吐出通路（51）の入口端が開口する圧縮機構（20）の内側まで導かれ、そのガス冷媒の圧力が弁体（18）に作用する背圧を上回ると、弁体（18）が弁押さえ（16）側へ変形すると共にその弁押さえ（16）側へ移動する。そして、弁体（18）が弁座面である吐出通路（51）の出口の周囲から離れ、圧縮されて高圧となったガス冷媒が吐出通路（51）を通って圧縮機構（20）の上側の空間へ吐出される。圧縮機構（20）から吐出されたガス冷媒は、図外の通路を通って圧縮機構（20）の下側の空間へ流入し、その後に吐出管（13）からケーシング（15）外へ吐出される。
【００９１】
《発明の実施形態３》
本発明の実施形態３ついて説明する。実施形態３の圧縮機（10）の縦断面図を図９に示す。この圧縮機（10）は、後述するピストン（40）がシリンダ（45）内で揺動運動することによって圧縮室（41）内の冷媒を圧縮するスイング型の回転式圧縮機（10）である。この圧縮機（10）は、上記実施形態１と同様に、冷媒として二酸化炭素が充填されて蒸気圧縮冷凍サイクルを行う冷凍装置の冷媒回路に設けられている。
【００９２】
圧縮機（10）は、縦長で円筒形の密閉容器であるケーシング（15）を備えている。このケーシング（15）の内部には、下寄りの位置に圧縮機構（20）が配置され、上寄りの位置に電動機（30）が配置されている。
【００９３】
ケーシング（15）には、その胴部を貫通するように吸入管（14）が設けられている。吸入管（14）は、圧縮機構（20）に接続されている。また、ケーシング（15）には、その上部を貫通する吐出管（13）が設けられている。吐出管（13）は、その入口が電動機（30）の上側の空間に開口している。
【００９４】
ケーシング（15）の内部には、上下方向に延びるクランク軸（33）が設けられている。このクランク軸（33）は、主軸部（33a）と偏心部（33b）とを備えている。偏心部（33b）は、クランク軸（33）の下寄りの位置に設けられ、主軸部（33a）よりも大径の円柱状に形成されている。この偏心部（33b）は、その軸心が主軸部（33a）の軸心から所定量だけ偏心している。
【００９５】
圧縮機構（20）は、揺動ピストン型のロータリ圧縮機を構成し、偏心運動する可動部材（38）と、その可動部材（38）と共に後述する圧縮室（41,42）を形成する固定部材（39）とを備えている。可動部材（38）は、円環状のピストン（45）を備えている。固定部材（39）は、シリンダ（40）と、そのシリンダ（40）の上面側に当接する円板状の鏡板部（37）と、そのシリンダ（40）の下面側に当接する円板状のハウジング（11）とを備えている。
【００９６】
図１０に示すように、ピストン（45）は、円環状に形成されて、シリンダ（40）内に配置されている。ピストン（45）の内周面には、クランク軸（33）の偏心部（33b）が摺動自在に嵌め込まれている。ピストン（45）の外周面とシリンダ（40）の内周面との間に圧縮室（41）が形成されている。また、ピストン（45）の側面には平板状のブレード（46）が突設されており、このブレード（46）は揺動ブッシュ（27）を介してシリンダ（40）に支持されている。これによって、ブレード（46）は、圧縮室（41）を第１室である高圧室（41a）と第２室である低圧室（41b）とに区画している。
【００９７】
シリンダ（40）には、吸入ポート（50）が形成されている。吸入ポート（50）は、シリンダ（40）を半径方向に貫通し、その終端がシリンダ（40）の内周面に開口している。吸入ポート（50）には、吸入管（14）が挿入されている。
【００９８】
電動機（30）は、ステータ（31）とロータ（32）とを備えている。ステータ（31）は、ケーシング（15）の胴部の内壁に固定されている。ロータ（32）は、ステータ（31）の内側に配置されてクランク軸（33）の主軸部（33a）と連結されており、クランク軸（33）がロータ（32）とともに回転するように構成されている。
【００９９】
クランク軸（33）の下端部には、給油ポンプ（34）が設けられている。この給油ポンプ（34）は、クランク軸（33）の軸心に沿って延びて圧縮機構（20）と連通する給油路（図示省略）と接続されている。そして、給油ポンプ（34）は、ケーシング（15）内の底部に貯留された潤滑油を給油路を通じて圧縮機構（20）の摺動部に供給するように構成されている。
【０１００】
鏡板部（37）は、前面（図９において下面）が圧縮室（41）に面している。図１１に示すように、鏡板部（37）の背面（図１１において上面）には、凹部（25）が形成されている。鏡板部（37）の凹部（25）の底面部分の厚みは、その周囲に比べて薄くなっている。凹部（25）は、略長方形状の窪みで、鏡板部（37）の中心と外周との真ん中付近に形成されている。
【０１０１】
鏡板部（37）には、圧縮室（41）に連通して凹部（25）の底面に開口する吐出通路（51）が設けられている。吐出通路（51）は、凹部（25）の長手方向の一端側（図１１において右側）に設けられている。吐出通路（51）は、圧縮室（41）と圧縮機構（20）の上側の空間とを接続している。
【０１０２】
凹部（25）には、弁体（18）が設けられている。この弁体（18）は、細長い板状で、その先端が吐出通路（51）の出口よりもひと回り大きい円形になっている。弁体（18）は、その長手方向が凹部（25）の長手方向と一致し、その前面が該凹部（25）の底面に当接するように配置されている。弁体（18）は、先端部の前面が弁座面である吐出通路（51）の出口の周囲に当接するように配置されている。
【０１０３】
鏡板部（37）には、基部（19）と本体部（17）とからなる弁押さえ（16）が設けられている。本体部（17）は、下面が湾曲して先端にゆくほど厚みが減少するように形成され、弁体（18）の背面側に設けられてその下面が弁押さえ面になっている。この弁押さえ（16）と上記弁体（18）とは、それぞれ本発明に係る吐出弁（21）を構成している。吐出弁（21）は、リード弁であって、弁体（18）が弾性変形することにより吐出通路（51）を開閉するように構成されている。
【０１０４】
弁押さえ（16）の基部（19）は、本体部（17）側が厚肉に形成され、逆側が薄肉に形成されている。基部（19）の薄肉の部分にはボルト（22）を通すための貫通孔が１つ形成されている。この基部（19）の薄肉の部分は、弁押さえ（16）を鏡板部（37）に取り付けるための固定部（19a）となっている。基部（19）の上面は、平らに形成され本体部（17）の上面と面一になっている。基部（19）の下面は、本体部（17）の下面と連続しているが、厚肉の部分と薄肉の固定部（19a）との境界に段差が形成されている。
【０１０５】
弁押さえ（16）は、その固定部（19a）が凹部（25）の外周部にボルト（22）によって固定された状態で、鏡板部（37）に取り付けられている。弁押さえ（16）は、その基部（19）の段差面が凹部（25）の吐出通路（51）が設けられている方と逆側（図１１において左側）の壁面に当接し、その固定部（19a）の下面が鏡板部（37）の背面（上面）に当接している。固定部（19a）は、鏡板部（37）の背面に沿って凹部（25）の外側に延びている。
【０１０６】
凹部（25）の底面と弁押さえ（16）との間には、弁体（18）の厚み以上の隙間が形成されている。つまり、弁体（18）が凹部（25）の底面に密着した状態において、弁体（18）と弁押さえ（16）との間には隙間が形成される。この隙間は、弁体（18）の先端側ほど大きくなっている。
【０１０７】
また、吐出弁（21）には、弁体（18）の基端部を貫通するピン部材（24,24）が２本設けられている。ピン部材（24）は、一端部が弁押さえ（16）の基部（19）の厚肉の部分に嵌め込まれ、他端部が凹部（25）の底面に嵌め込まれている。これにより、弁体（18）は、ピン部材（24）の軸方向に可動となる一方で、その回転が防止される。
【０１０８】
−運転動作−
次に、このスイング型の回転式圧縮機（10）の運転動作について説明する。
【０１０９】
電動機（30）を起動すると、ロータ（32）の回転がクランク軸（33）を介して圧縮機構に伝達されると、偏心部（33b）が回動する。偏心部（33b）が回動すると、この偏心部（33b）に摺動自在に外接するピストン（45）がシリンダ（40）内で揺動運動を行う。
【０１１０】
冷媒は、ピストン（45）の揺動運動に従って吸入ポート（50）からシリンダ（40）の圧縮室（41）に吸入される。吸入された冷媒は、圧縮室（41）で圧縮される。そして、高圧室（41a）の圧力が弁体（18）に作用する背圧を上回ると、弁体（18）が弁押さえ（16）側へ変形すると共にその弁押さえ（16）側へ移動して、弁座面である吐出通路（51）の出口の周囲から離れる。これによって、圧縮室（41）内で圧縮された高圧冷媒が、吐出通路（51）を通過して、圧縮機構（20）と電動機（30）との間の空間へ吐出される。
【０１１１】
圧縮機構（20）と電動機（30）との間の空間へ吐出された冷媒は、電動機（30）の周囲に形成される隙間を流通して吐出管（13）から吐出される。
【０１１２】
《その他の実施形態》
本発明は、上記実施形態について、以下のような構成としてもよい。
【０１１３】
吐出弁（21）は、ピン部材（24）を設けずに、弁体（18）の基端部を弁押さえ（16）と凹部（25）の底面とによって挟み込むようにしてもよい（図１２参照）。弁押さえ（16）は、基部（19）の厚肉の部分と薄肉の固定部（19a）との段差が凹部（25）の深さよりも大きくなるように形成されている。固定部（19a）と鏡板部（37）の背面との間には、隙間が形成されている。これによって、固定部（19a）でボルト（22）を締め付けると、弁押さえ（16）と凹部（25）の底面とによって弁体（18）の基端部を強固に挟み込むことができる。従って、弁体（18）を強固に固定することができるので、ピン部材（24）のような弁体（18）の回転を防止するための手段を設けなくても、その回転を抑制することができる。よって、吐出弁（21）の構成を簡素化することができる。
【０１１４】
また、吐出弁（21）は、その基端側を背面側へ折り曲げて、弁押さえ（16）と凹部（25）の壁面とに挟み込むようにしてもよい（図１３参照）。弁体（18）は、凹部（25）の底面から壁面に亘って当接するように配置されている。これによって、ピン部材（24）のような弁体（18）の回転を防止するための手段を設けなくても、弁体（18）の基端側を折り曲げてその折り曲げた部分を凹部（25）の壁面側に固定するだけで弁体（18）の回転を防止することができる。よって、吐出弁（21）の構成を簡素化することができる。
【０１１５】
また、矩形断面のピン部材（24）を用いて、弁体（18）の回転を防止するようにしてもよい。この場合、１本のピン部材（24）で弁体（18）の回転を防止することができる。
【０１１６】
また、回転式圧縮機（10）を二酸化炭素以外の冷媒を用いる冷媒回路に設けてもよい。
【０１１７】
なお、以上の実施形態は、本質的に好ましい例示であって、本発明、その適用物、あるいはその用途の範囲を制限することを意図するものではない。
【産業上の利用可能性】
【０１１８】
以上説明したように、本発明は、可動部材と固定部材とによって形成される圧縮室で流体を圧縮する回転式圧縮機について有用である。
【図面の簡単な説明】
【０１１９】
【図１】実施形態１に係る回転式圧縮機の縦断面図である。
【図２】実施形態１に係る回転式圧縮機の圧縮機構の横断面図である。
【図３】実施形態１に係る回転式圧縮機の吐出弁の断面図である。
【図４】実施形態１に係る回転式圧縮機の下部ハウジングの平面図である。
【図５】実施形態１に係る回転式圧縮機の圧縮機構の動作を示す横断面図である。
【図６】実施形態２に係る回転式圧縮機の縦断面図である。
【図７】実施形態２に係る回転式圧縮機の圧縮機構の横断面図である。
【図８】実施形態２に係る回転式圧縮機の吐出弁の断面図である。
【図９】実施形態３に係る回転式圧縮機の縦断面図である。
【図１０】実施形態３に係る回転式圧縮機の圧縮機構の横断面図である。
【図１１】実施形態３に係る回転式圧縮機の吐出弁の断面図である。
【図１２】その他の実施形態に係る回転式圧縮機の吐出弁の断面図である。
【図１３】その他の実施形態に係る回転式圧縮機の吐出弁の断面図である。
【図１４】従来の回転圧縮機の吐出弁の断面図である。
【符号の説明】
【０１２０】
10  回転式圧縮機
16  弁押さえ
17  本体部
18  弁体
19a 固定部
21  吐出弁
24  ピン部材
25  凹部
37  鏡板部（鏡板部）
38  可動部材
39  固定部材
40  シリンダ
41  外側シリンダ室（圧縮室）
41a 高圧室（第１室）
41b 低圧室（第２室）
42  内側シリンダ室（圧縮室）
42a 高圧室（第１室）
42b 低圧室（第２室）
45  環状ピストン
46  ブレード
51  外側吐出通路（吐出通路）
52  内側吐出通路（吐出通路）